(57)【要約】【課題】本発明の肌状態の診断方法は、皮膚常在細菌叢における菌に関するパラメータに基づき、肌状態改善作用を有する物質又は美容方法のスクリーニング方法を提供することを課題とする。【解決手段】本発明の肌状態の診断方法は、肌状態と相関性のある、皮膚常在細菌叢における菌指標に基づき、肌状態を診断することを特徴とする。また本発明のスクリーニング方法は、肌状態と相関性のある、皮膚常在細菌叢における菌指標に基づく、スクリーニング方法であることを特徴とする。【選択図】なし【特許請求の範囲】
【請求項１】
肌状態と相関性のある、皮膚常在細菌叢における菌指標に基づき、肌状態を診断する肌状態の診断方法。
【請求項２】
前記肌状態が皮膚の色であり、
前記菌指標が、下記Ａ群及びＢ群からなる群から選ばれる１種又は２種以上の細菌の占有率であることを特徴とする請求項１記載の肌状態の診断方法。
（Ａ群）
2018099184.tif 000051
（Ｂ群）
2018099184.tif 000052
【請求項３】
前記皮膚の色が、皮膚の明るさ、皮膚の黄味、メラニン指数、紅斑指数、皮膚酸素飽和指数、光沢度合、シミの個数、から選ばれる１種又は２種以上のパラメータに基づくものであることを特徴とする請求項２記載の肌状態の診断方法。
【請求項４】
皮膚常在細菌叢における、上記Ａ群から選ばれる１種又は２種以上の細菌の占有率が高いほど、皮膚の色が好ましいと判定することを特徴とする、請求項２又は３記載の肌状態の診断方法。
【請求項５】
皮膚常在細菌叢における、上記Ｂ群から選ばれる１種又は２種以上の細菌の占有率が低いほど、皮膚の色が好ましいと判定することを特徴とする、請求項２又は３記載の肌状態の診断方法。
【請求項６】
前記肌状態が皮膚の形態であり、
前記菌指標が、下記Ｃ群及びＤ群からなる群から選ばれる１種又は２種以上の細菌の占有率であることを特徴とする請求項１記載の肌状態の診断方法。
（Ｃ群）
2018099184.tif 000053
（Ｄ群）
2018099184.tif 000054
【請求項７】
前記皮膚の形態が、キメの度合、シワ本数、毛穴個数、から選ばれる１種又は２種以上のパラメータに基づくものであることを特徴とする、請求項６記載の肌状態の診断方法。
【請求項８】
皮膚常在細菌叢における、上記Ｃ群から選ばれる１種又は２種以上の細菌の占有率が高いほど、皮膚の形態が好ましいと判定することを特徴とする、請求項６又は７記載の肌状態の診断方法。
【請求項９】
皮膚常在細菌叢における、上記Ｄ群から選ばれる１種又は２種以上の細菌の占有率が低いほど、皮膚の形態が好ましいと判定することを特徴とする、請求項６又は７記載の肌状態の診断方法。
【請求項１０】
前記肌状態が皮膚の性質及び／又は機能であり、
前記菌指標が、下記Ｅ群及びＦ群からなる群から選ばれる１種又は２種以上の細菌の占有率であることを特徴とする請求項１記載の肌状態の診断方法。
（Ｅ群）
2018099184.tif 000055
（Ｆ群）
2018099184.tif 000056
【請求項１１】
前記皮膚の性質及び／又は機能が、皮膚の弾力性、皮膚水分量、皮膚のバリア機能、皮脂量、から選ばれる１種又は２種以上のパラメータに基づくものであることを特徴とする、請求項１０記載の肌状態の診断方法。
【請求項１２】
皮膚常在細菌叢における、上記Ｅ群から選ばれる１種又は２種以上の細菌の占有率が高いほど、皮膚の性質及び／又は機能が好ましい状態であるものと判定することを特徴とする、請求項１０又は１１記載の肌状態の診断方法。
【請求項１３】
皮膚常在細菌叢における、上記Ｆ群から選ばれる１種又は２種以上の細菌の占有率が低いほど、皮膚の性質及び／又は機能が好ましい状態であるものと判定することを特徴とする、請求項１０又は１１に記載の肌状態の診断方法。
【請求項１４】
前記肌状態が、紅斑指数及び／又は皮膚酸素飽和指数のパラメータに基づくものであり、
前記菌指標が、菌種の多様性であることを特徴とする請求項１記載の肌状態の診断方法。
【請求項１５】
肌状態と相関性のある、皮膚常在細菌叢における菌指標に基づく、肌状態改善作用を有する物質又は美容方法のスクリーニング方法。
【請求項１６】
前記肌状態が皮膚の色であり、
前記菌指標が、皮膚常在細菌叢における、下記Ａ群及びＢ群からなる群から選ばれる１種又は２種以上の細菌の占有率であることを特徴とする、請求項１５記載のスクリーニング方法。
（Ａ群）
2018099184.tif 000057
（Ｂ群）
2018099184.tif 000058
【請求項１７】
前記皮膚の色が、皮膚の明るさ、皮膚の黄味、メラニン指数、紅斑指数、皮膚酸素飽和指数、光沢度合、シミの個数、から選ばれる１種又は２種以上のパラメータに基づくものであることを特徴とする、請求項１６記載のスクリーニング方法。
【請求項１８】
皮膚常在細菌叢における、上記Ａ群から選ばれる１種又は２種以上の細菌の占有率を向上させる作用を有する物質又は美容方法を、肌状態改善作用を有する物質又は美容方法であるものと判定することを特徴とする、請求項１６又は１７記載のスクリーニング方法。
【請求項１９】
上記Ｂ群から選ばれる１種又は２種以上の細菌の占有率を減少させる作用を有する物質又は美容方法を、肌状態改善作用を有する物質又は美容方法であるものと判定することを特徴とする、請求項１６又は１７記載のスクリーニング方法。
【請求項２０】
前記肌状態が皮膚の形態であり、
前記菌指標が、皮膚常在細菌叢における、下記Ｃ群及びＤ群からなる群から選ばれる１種又は２種以上の細菌の占有率であることを特徴とする請求項１５記載のスクリーニング方法。
（Ｃ群）
2018099184.tif 000059
（Ｄ群）
2018099184.tif 000060
【請求項２１】
前記皮膚の形態が、キメの度合、シワ本数、毛穴個数、から選ばれる１種又は２種以上のパラメータに基づくものであることを特徴とする請求項２０記載のスクリーニング方法。
【請求項２２】
皮膚常在細菌叢における、上記Ｃ群から選ばれる１種又は２種以上の細菌の占有率を向上させる作用を有する物質又は美容方法を、肌状態改善作用を有する物質又は美容方法であるものと判定することを特徴とする、請求項２０又は２１記載のスクリーニング方法。
【請求項２３】
上記Ｄ群から選ばれる１種又は２種以上の細菌の占有率を減少させる作用を有する物質又は美容方法を、肌状態改善作用を有する物質又は美容方法であるものと判定することを特徴とする、請求項２０又は２１記載のスクリーニング方法。
【請求項２４】
前記肌状態が皮膚の性質及び／又は機能であり、
前記菌指標が、皮膚常在細菌叢における、下記Ｅ群及びＦ群からなる群から選ばれる１種又は２種以上の細菌の占有率であることを特徴とする請求項１５記載のスクリーニング方法。
（Ｅ群）
2018099184.tif 000061
（Ｆ群）
2018099184.tif 000062
【請求項２５】
前記皮膚の性質及び／又は機能が、皮膚の弾力性、皮膚水分量、皮膚のバリア機能、皮脂量、から選ばれる１種又は２種以上のパラメータに基づくものであることを特徴とする請求項２４記載のスクリーニング方法。
【請求項２６】
皮膚常在細菌叢における、上記Ｅ群から選ばれる１種又は２種以上の細菌の占有率を向上させる作用を有する物質又は美容方法を、肌状態改善作用を有する物質又は美容方法であるものと判定することを特徴とする、請求項２４又は２５記載のスクリーニング方法。
【請求項２７】
皮膚常在細菌叢における、上記Ｆ群から選ばれる１種又は２種以上の細菌の占有率を減少させる作用を有する物質又は美容方法を、肌状態改善作用を有する物質又は美容方法であるものと判定することを特徴とする、請求項２４又は２５記載のスクリーニング方法。
【請求項２８】
前記肌状態が、紅斑指数及び／又は皮膚酸素飽和指数のパラメータに基づくものであり、
前記菌指標が、菌種の多様性であることを特徴とする請求項１５記載のスクリーニング方法。
【発明の詳細な説明】
【技術分野】
【０００１】
本発明は、肌状態と相関性のある、皮膚常在細菌叢における菌指標に基づき、肌状態を診断する方法に関する。また、肌状態と相関性のある、皮膚常在細菌叢における菌指標に基づく、肌状態改善作用を有する物質又は美容方法のスクリーニング方法に関する。
【背景技術】
【０００２】
近年、腸、口腔の細菌叢が様々な疾患と関連があることは報告されている（非特許文献１）。また、皮膚に関しては、ざ瘡とP.acnes、アトピーとS.aureusとの関連は知られていた。近年、技術の発展により、多数の細菌が解析できる時代となった。
【先行技術文献】
【非特許文献】
【０００３】
【非特許文献１】大野博司、服部正平  編集“常在細菌叢が操るヒトの健康と疾患”実験医学増刊  vol.32 No5 2014
【発明の概要】
【発明が解決しようとする課題】
【０００４】
従来皮膚常在細菌叢は人から採取し、培養可能な菌のみしか同定できないこともあり、皮膚常在細菌叢における菌に関するパラメータと皮膚との関連を網羅するような研究はほとんどなされていなかった。
上記事情に鑑み本発明は、皮膚常在細菌叢における菌に関するパラメータに基づき、肌状態を診断する方法を提供することを課題とする。
また本発明は、皮膚常在細菌叢における菌に関するパラメータに基づき、肌状態改善作用を有する物質又は美容方法のスクリーニング方法を提供することを課題とする。
【課題を解決するための手段】
【０００５】
前記課題を解決する本発明の肌状態の診断方法は、肌状態と相関性のある、皮膚常在細菌叢における菌指標に基づき、肌状態を診断することを特徴とする。
【０００６】
本発明によれば、皮膚常在細菌叢における菌指標に基づくことによって、直接肌を検査することなく、皮膚から採取した細菌叢によって、非侵襲的に、簡便に肌状態を診断することができる。
【０００７】
本発明の好ましい形態として、前記肌状態が皮膚の色であり、
前記菌指標が、下記Ａ群及びＢ群からなる群から選ばれる１種又は２種以上の細菌の占有率であることを特徴とする。
【０００８】
（Ａ群）
【表１】
2018099184.tif 000002
【０００９】
（Ｂ群）
【表２】
2018099184.tif 000003
【００１０】
皮膚常在細菌叢における菌指標が上記Ａ群及びＢ群からなる群から選ばれる１種又は２種以上の細菌の占有率であることによって、直接肌を検査することなく、非侵襲的に、皮膚から採取した細菌叢によって簡便に高い精度で皮膚の色を診断することができる。
【００１１】
本発明のさらに好ましい形態では、前記皮膚の色が、皮膚の明るさ、皮膚の黄味、メラニン指数、紅斑指数、皮膚酸素飽和指数、光沢度合、シミの個数、から選ばれる１種又は２種以上のパラメータに基づくものであることを特徴とする。
皮膚常在細菌叢における菌指標が上記Ａ群及びＢ群からなる群から選ばれる１種又は２種以上の細菌の占有率であることによって、直接肌を検査することなく、皮膚から採取した細菌叢によって簡便に皮膚の明るさ、皮膚の黄味、メラニン指数、紅斑指数、皮膚酸素飽和指数、光沢度合、シミの個数を診断することができる。
【００１２】
本発明の好ましい形態では、皮膚常在細菌叢における、上記Ａ群から選ばれる１種又は２種以上の細菌の占有率が高いほど、皮膚の色が好ましいと判定することを特徴とする。
【００１３】
本発明の好ましい形態では、皮膚常在細菌叢における、上記Ｂ群から選ばれる１種又は２種以上の細菌の占有率が低いほど、皮膚の色が好ましいと判定することを特徴とする。
【００１４】
本発明の好ましい形態では、前記肌状態が皮膚の形態であり、
前記菌指標が、下記Ｃ群及びＤ群からなる群から選ばれる１種又は２種以上の細菌の占有率であることを特徴とする。
【００１５】
（Ｃ群）
【表３】
2018099184.tif 000004
【００１６】
（Ｄ群）
【表４】
2018099184.tif 000005
【００１７】
皮膚常在細菌叢における菌指標が上記Ｃ群及びＤ群からなる群から選ばれる１種又は２種以上の細菌の占有率であることによって、直接肌を検査することなく、非侵襲的に、皮膚から採取した細菌叢によって簡便に高い精度で皮膚の形態を診断することができる。
【００１８】
本発明のさらに好ましい形態では、前記皮膚の形態が、キメの度合、シワ本数、毛穴個数、から選ばれる１種又は２種以上のパラメータに基づくものであることを特徴とする。
皮膚常在細菌叢における菌指標が上記Ｃ群及びＤ群からなる群から選ばれる１種又は２種以上の細菌の占有率であることによって、直接肌を検査することなく、非侵襲的に、皮膚から採取した細菌叢によって簡便にキメの度合、シワ本数、毛穴個数を高い精度で診断することができる。
【００１９】
本発明の好ましい形態では、皮膚常在細菌叢における、上記Ｃ群から選ばれる１種又は２種以上の細菌の占有率が高いほど、皮膚の形態が好ましいと判定することを特徴とする。
【００２０】
本発明の好ましい形態では、皮膚常在細菌叢における、上記Ｄ群から選ばれる１種又は２種以上の細菌の占有率が低いほど、皮膚の形態が好ましいと判定することを特徴とする。
【００２１】
本発明の好ましい形態では、前記肌状態が皮膚の性質及び／又は機能であり、
前記菌指標が、下記Ｅ群及びＦ群からなる群から選ばれる１種又は２種以上の細菌の占有率であることを特徴とする。
【００２２】
（Ｅ群）
【表５】
2018099184.tif 000006
【００２３】
（Ｆ群）
【表６】
2018099184.tif 000007
【００２４】
皮膚常在細菌叢における菌指標が上記Ｅ群及びＦ群からなる群から選ばれる１種又は２種以上の細菌の占有率であることによって、直接肌を検査することなく、非侵襲的に、皮膚から採取した細菌叢によって簡便に皮膚の性質及び／又は機能を診断することができる。
【００２５】
本発明のさらに好ましい形態では、前記皮膚の性質及び／又は機能が、皮膚の弾力性、皮膚水分量、皮膚のバリア機能、皮脂量、から選ばれる１種又は２種以上のパラメータに基づくものであることを特徴とする。
皮膚常在細菌叢における菌指標が上記Ｅ群及びＦ群からなる群から選ばれる１種又は２種以上の細菌の占有率であることによって、直接肌を検査することなく、非侵襲的に、皮膚から採取した細菌叢によって簡便に皮膚の弾力性、皮膚水分量、皮膚のバリア機能、皮脂量を高い精度で診断することができる。
【００２６】
本発明の好ましい形態では、皮膚常在細菌叢における、上記Ｅ群から選ばれる１種又は２種以上の細菌の占有率が高いほど、皮膚の性質及び／又は機能が好ましいと判定することを特徴とする。
【００２７】
本発明の好ましい形態では、皮膚常在細菌叢における、上記Ｆ群から選ばれる１種又は２種以上の細菌の占有率が低いほど、皮膚の性質及び／又は機能が好ましいと判定することを特徴とする。
【００２８】
本発明の好ましい形態では、前記肌状態が、紅斑指数及び／又は皮膚酸素飽和指数のパラメータに基づくものであり、前記菌指標が、菌種の多様性であることを特徴とする。
本発明は菌の占有率だけではなく、菌の多様性によっても、直接肌を検査することなく、非侵襲的に、皮膚から採取した細菌叢によって簡便に紅斑指数及び／又は皮膚酸素飽和指数を高い精度で診断することができる。
【００２９】
前記課題を解決する本発明のスクリーニング方法は、肌状態と相関性のある、皮膚常在細菌叢における菌指標に基づく、スクリーニング方法であることを特徴とする。
【００３０】
本発明によれば、肌状態と相関性のある、皮膚常在細菌叢における菌指標に基づくことによって、スクリーニング段階から実効性の高いことが予想される物質又は美容方法をスクリーニングすることができる。
【００３１】
本発明の好ましい形態では、前記肌状態が皮膚の色であり、
前記菌指標が、皮膚常在細菌叢における、下記Ａ群及びＢ群からなる群から選ばれる１種又は２種以上の細菌の占有率であることを特徴とする。
【表１】
2018099184.tif 000008
【００３２】
【表２】
2018099184.tif 000009
【００３３】
皮膚常在細菌叢における菌指標が上記Ａ群及びＢ群からなる群から選ばれる１種又は２種以上の細菌の占有率に基づくことによって、スクリーニング段階から実効性が高く、皮膚の色を改善できる可能性の高い物質又は美容方法をスクリーニングすることができる。
【００３４】
本発明の好ましい形態では、前記皮膚の色が皮膚の明るさ、皮膚の黄味、メラニン指数、紅斑指数、皮膚酸素飽和指数、光沢度合、シミの個数、から選ばれる１種又は２種以上のパラメータに基づくものであることを特徴とする。
皮膚常在細菌叢における菌指標が上記Ａ群及びＢ群からなる群から選ばれる１種又は２種以上の細菌の占有率に基づくことによって、スクリーニング段階から実効性が高く、皮膚の明るさ、皮膚の黄味、メラニン指数、紅斑指数、皮膚酸素飽和指数、光沢度合、シミの個数を改善できる可能性の高い物質又は美容方法をスクリーニングすることができる。
【００３５】
本発明の好ましい形態では、皮膚常在細菌叢における、上記Ａ群から選ばれる１種又は２種以上の細菌の占有率を向上させる作用を有する物質又は美容方法を、肌状態改善作用を有する物質又は美容方法であるものと判定することを特徴とする。
【００３６】
本発明の好ましい形態では、上記Ｂ群から選ばれる１種又は２種以上の細菌の占有率を減少させる作用を有する物質又は美容方法を、肌状態改善作用を有する物質又は美容方法であるものと判定することを特徴とする。
【００３７】
本発明の好ましい形態では、前記肌状態が皮膚の形態であり、
前記菌指標が、皮膚常在細菌叢における、下記Ｃ群及びＤ群からなる群から選ばれる１種又は２種以上の細菌の占有率であることを特徴とする。
【表３】
2018099184.tif 000010
【表４】
2018099184.tif 000011
【００３８】
皮膚常在細菌叢における菌指標が上記Ｃ群及びＤ群からなる群から選ばれる１種又は２種以上の細菌の占有率に基づくことによって、スクリーニング段階から実効性が高く、皮膚の形態を改善できる可能性の高い物質又は美容方法をスクリーニングすることができる。
【００３９】
本発明の好ましい形態では、前記皮膚の形態が、キメの度合、シワ本数、毛穴個数、から選ばれる１種又は２種以上のパラメータに基づくものであることを特徴とする。
皮膚常在細菌叢における菌指標が上記Ｃ群及びＤ群からなる群から選ばれる１種又は２種以上の細菌の占有率に基づくことによって、スクリーニング段階から実効性が高く、キメの度合、シワ本数、毛穴個数を改善できる物質又は美容方法をスクリーニングすることができる。
【００４０】
本発明の好ましい形態では、皮膚常在細菌叢における、上記Ｃ群から選ばれる１種又は２種以上の細菌の占有率を向上させる作用を有する物質又は美容方法を、肌状態改善作用を有する物質又は美容方法であるものと判定することを特徴とする。
【００４１】
本発明の好ましい形態では、上記Ｄ群から選ばれる１種又は２種以上の細菌の占有率を減少させる作用を有する物質又は美容方法を、肌状態改善作用を有する物質又は美容方法であるものと判定することを特徴とする。
【００４２】
本発明の好ましい形態では、前記肌状態が皮膚の性質及び／又は機能であり、
前記菌指標が、皮膚常在細菌叢における、下記Ｅ群及びＦ群からなる群から選ばれる１種又は２種以上の細菌の占有率であることを特徴とする。
【表５】
2018099184.tif 000012
【００４３】
【表６】
2018099184.tif 000013
【００４４】
皮膚常在細菌叢における菌指標が上記Ｅ群及びＦ群からなる群から選ばれる１種又は２種以上の細菌の占有率に基づくことによって、スクリーニング段階から実効性が高く、皮膚の性質及び／又は機能を改善できる可能性の高い物質又は美容方法をスクリーニングすることができる。
【００４５】
本発明の好ましい形態では、前記皮膚の性質及び／又は機能が、皮膚の弾力性、皮膚水分量、皮膚のバリア機能、皮脂量から選ばれる１種又は２種以上のパラメータに基づくものであることを特徴とする。
皮膚常在細菌叢における菌指標が上記Ｅ群及びＦ群からなる群から選ばれる１種又は２種以上の細菌の占有率に基づくことによって、スクリーニング段階から実効性が高く、皮膚の弾力性、皮膚水分量、皮膚のバリア機能、皮脂量を改善できる物質又は美容方法をスクリーニングすることができる。
【００４６】
本発明の好ましい形態では、皮膚常在細菌叢における、上記Ｅ群から選ばれる１種又は２種以上の細菌の占有率を向上させる作用を有する物質又は美容方法を、肌状態改善作用を有する物質又は美容方法であるものと判定することを特徴とする。
【００４７】
本発明の好ましい形態では、上記Ｆ群から選ばれる１種又は２種以上の細菌の占有率を減少させる作用を有する物質又は美容方法を、肌状態改善作用を有する物質又は美容方法であるものと判定することを特徴とする。
【００４８】
本発明の好ましい形態では、前記肌状態が、紅斑指数及び／又は皮膚酸素飽和指数のパラメータに基づくものであり、前記菌指標が、菌種の多様性であることを特徴とする。
本発明は菌の占有率だけではなく、菌の多様性によっても、直接肌を検査することなく、皮膚から採取した細菌叢によって簡便に紅斑指数及び／又は皮膚酸素飽和指数を診断することができる。
【発明を実施するための形態】
【００４９】
＜１＞肌状態の診断方法
以下、本発明の肌状態の診断方法の実施形態について説明するが、本発明の技術的範囲は以下の実施形態に限定されないことは言うまでもない。
【００５０】
本発明の肌状態の診断方法は、肌状態と相関性のある皮膚常在細菌叢における菌指標に基づき、肌状態を診断することを特徴とする。
【００５１】
本発明でいう菌指標とは、人間の皮膚常在細菌叢における菌に関するパラメータである。
菌指標としては、皮膚常在細菌叢における特定の細菌の占有率や、皮膚常在細菌叢に存在する菌種の多様性を採用することが好ましい。これら菌指標を指標とすることによって、肌状態をより精度よく診断することができる。
【００５２】
本発明は、１種の菌指標に基づき肌状態を診断する形態としてもよいし、２種以上の菌指標を組み合わせて肌状態を診断する形態としてもよい。
【００５３】
菌指標は被験者の肌上に存在する皮膚常在細菌叢を採取し、これを分析することにより得ることができる。
【００５４】
前記皮膚常在細菌叢を採取する方法は、皮膚常在細菌叢を採取することができれば特に制限はないが、Ｓｗａｂ法を好ましく例示できる。
【００５５】
採取した皮膚常在細菌叢を解析する方法としては、皮膚常在細菌叢における細菌の様態について解析できる方法であれば特に制限はなく、免疫学的手法、質量分析法、ＰＣＲ法、ＤＮＡシークエンスなどを利用する方法が挙げられるが、特に好ましくは次世代シークエンサーを用いた１６ＳｒＲＮＡ系統解析を好ましく例示できる。
【００５６】
１６ＳｒＲＮＡ系統解析は、次世代シークエンサーを用いてサンプル中に含まれる細菌種の同定を行う解析手法である。当該解析においては、まず、サンプルからＤＮＡを抽出し、リボソーム１６Ｓサブユニット領域をＰＣＲで増幅した後、次世代シークエンサーを用いて高速かつ大量にアンプリコンのＤＮＡ配列を読み取る。その後、低クオリティリードやキメラ配列の除去を行った後、配列同士をクラスタリングしてＯＴＵ（Ｏｐｅｒａｔｉｏｎａｌ  Ｔａｘｏｎｏｍｉｃ  Ｕｎｉｔ）解析を行う。ＯＴＵとは、ある一定以上の類似性（一般的には９６−９７％）を持つ配列同士を一つの菌種のように扱うための操作上の分類単位である。各ＯＴＵに属するリード数の中から代表的な配列を選び、データベース検索により属種名の同定を行うことができる。
【００５７】
また、ＯＴＵ数はサンプル中に含まれる菌叢を構成する菌種の数を表し、同一のＯＴＵに属するリードの数はその種の相対的な存在量を表す。したがって、同一のＯＴＵに属するリードの数に基づき、サンプルに含まれる細菌叢における特定の菌種の占有率を算出することができる。
【００５８】
さらに、それぞれの菌種の占有率のデータに基づき、例えばＳｉｍｐｓｏｎ  ＩｎｄｅｘやＳｈａｎｎｏｎ  ｄｉｖｅｒｓｉｔｙ  ｉｎｄｅｘなどの指数を算出することにより、皮膚常在細菌叢の多様性を算出することができる。
【００５９】
ＯＴＵ解析に基づく、皮膚常在細菌叢に存在する特定の菌種の占有率の算出も、皮膚常在細菌叢の多様性の算出も、市販の１６ＳｒＲＮＡ系統解析ソフトにより容易に行うことができる。
【００６０】
なお、１６ＳｒＲＮＡ系統解析により菌指標の解析を行う場合であっても、皮膚常在細菌叢に存在する特定の菌種の占有率の算出、並びに、皮膚常在細菌叢の多様性の算出はＯＴＵ解析以外の手法によって行ってもよい。
【００６１】
菌指標に基づき肌状態を診断するための方法は特に限定されない。
【００６２】
例えば、統計学的に有意な人数に対して、従来の手法による肌状態の診断と、皮膚常在細菌叢の解析を行うことで、菌指標と肌状態の相関についてのデータベースを予め作成しておき、被験者の菌指標を当該データベースと照合することにより被験者の肌状態を診断する実施の形態が好ましく挙げられる。
【００６３】
また、複数の被験者の菌指標、あるいは同一被験者から取得した複数の菌指標に基づき相対的に肌状態を診断する実施の形態としてもよい。
さらに、専門家がその専門性に基づいて被験者の菌指標から肌状態を診断する形態としてもよい。
【００６４】
上述の通り、菌指標としては、皮膚常在細菌叢における特定の菌の占有率が挙げられるが、特に好ましくは、表１〜６に示すＡ群〜Ｆ群の菌の占有率が挙げられる。以下、各群の菌の占有率を指標とする場合の本発明の実施の形態について詳述する。
【００６５】
本発明の肌状態の診断方法は、表１、表２に示すＡ群及びＢ群の少なくとも１種の菌の占有率に基づき、肌状態を診断する形態とすることが好ましい。
このような形態とすることで、肌状態肌状態のうち、皮膚の明るさ、皮膚の黄味、メラニン指数、紅斑指数、皮膚酸素飽和指数、光沢度合、シミの個数などのパラメータに基づく皮膚の色を特に精度よく診断することができる。
【００６６】
【表１】
2018099184.tif 000014
【００６７】
【表２】
2018099184.tif 000015
【００６８】
本発明は、Ａ群及びＢ群のうち、好ましくは１０種以上、より好ましくは２０種以上、さらに好ましくは４０種以上、さらに好ましくは８０種以上、さらに好ましくは１００種以上、さらに好ましくは２５０種以上、さらに好ましくは全種の細菌の占有率に基づき肌状態を診断する形態とすることが好ましい。
【００６９】
以下、菌種は表中に示した細菌番号によって特定する。
【００７０】
本発明は、Ａ群の菌の少なくとも１種の皮膚常在細菌叢における占有率が高いほど、皮膚の色が好ましいと判定する実施の形態とすることが好ましい。
また、Ａ群の菌のうち、好ましくは２種以上、より好ましくは１０種以上、さらに好ましくは４０種以上、さらに好ましくは８０種以上、さらに好ましくは１００種以上、さらに好ましくは全種の細菌の占有率が高いほど、皮膚の色が好ましいと判定する実施の形態とすることが好ましい。
【００７１】
また、細菌番号１〜５、１４〜１６、１９〜２４、３４〜８１、９２〜１０２、１１７、１２０〜１２１の細菌のうち、少なくとも１種、より好ましくは５種以上、さらに好ましくは１０種以上、さらに好ましくは２０種以上、さらに好ましくは４０種以上、さらに好ましくは全種の占有率が高いほど、皮膚の色が好ましいと判定する実施の形態とすることが好ましい。
【００７２】
より具体的には、細菌番号１〜１３の細菌のうち、少なくとも１種、より好ましくは２種以上、さらに好ましくは５種以上、さらに好ましくは７種以上、さらに好ましくは全種の占有率が高いほど、皮膚の色を構成するパラメータのうち、皮膚が明るいと判定することができる。
より好ましくは、細菌番号１〜５、さらに好ましくは細菌番号１〜２の細菌の占有率が高いほど、皮膚が明るいと判定することができる。
【００７３】
また、細菌番号１４〜１８の細菌のうち、少なくとも１種、より好ましくは２種以上、さらに好ましくは全種の占有率が高いほど、皮膚の色を構成するパラメータのうち、皮膚の黄味が薄いと判定することができる。
より好ましくは、細菌番号１４〜１６の細菌の占有率が高いほど、皮膚の黄味が薄いと判定することができる。
【００７４】
また、細菌番号１９〜３３の細菌のうち、少なくとも１種、より好ましくは２種以上、さらに好ましくは５種以上、さらに好ましくは７種以上、さらに好ましくは１０種以上、さらに好ましくは全種の占有率が高いほど、皮膚の色を構成するパラメータのうち、メラニン指数が低いと判定することができる。
より好ましくは、細菌番号１９〜２４、さらに好ましくは細菌番号１９〜２０の細菌の占有率が高いほど、メラニン指数が低いと判定することができる。
【００７５】
また、細菌番号３４〜９１の細菌のうち、少なくとも１種、より好ましくは２種以上、さらに好ましくは１０種以上、さらに好ましくは２０種以上、さらに好ましくは４０種以上、さらに好ましくは全種の占有率が高いほど、皮膚の色を構成するパラメータのうち、紅斑指数が低いと判定することができる。
より好ましくは、細菌番号３４〜８１、さらに好ましくは細菌番号３４〜５１の細菌の占有率が高いほど、紅斑指数が低いと判定することができる。
【００７６】
また、細菌番号９２〜１１６の細菌のうち、少なくとも１種、より好ましくは２種以上、さらに好ましくは５種以上、さらに好ましくは１０種以上、さらに好ましくは２０種以上、さらに好ましくは全種の占有率が高いほど、皮膚の色を構成するパラメータのうち、皮膚酸素飽和指数が高いと判定することができる。
より好ましくは、細菌番号９２〜１０５、さらに好ましくは細菌番号９２〜９６の細菌の占有率が高いほど、皮膚酸素飽和指数が高いと判定することができる。
【００７７】
また、細菌番号１１７〜１１９の細菌のうち、少なくとも１種、より好ましくは２種以上さらに好ましくは全種の占有率が高いほど、皮膚の色を構成するパラメータのうち、光沢度合が高いと判定することができる。
より好ましくは、細菌番号１１７の細菌の占有率が高いほど、光沢度合が高いと判定することができる。
【００７８】
また、細菌番号１２０〜１２５の細菌のうち、少なくとも１種、より好ましくは２種以上さらに好ましくは全種の占有率が高いほど、皮膚の色を構成するパラメータのうち、シミの個数が少ないと判定することができる。
より好ましくは、細菌番号１２０〜１２１の細菌の占有率が高いほど、シミの個数が少ないと判定することができる。
【００７９】
本発明は、Ｂ群の菌の少なくとも１種の皮膚常在細菌叢における占有率が低いほど、皮膚の色が好ましいと判定する実施の形態とすることが好ましい。
また、Ｂ群の菌のうち、好ましくは２種以上、より好ましくは１０種以上、さらに好ましくは４０種以上、さらに好ましくは全種の細菌の占有率が低いほど、皮膚の色が好ましいと判定する実施の形態とすることが好ましい。
【００８０】
また、細菌番号１２６〜１２７、１３０〜１３７、１４６〜１４８、１５２〜１５６、１５８〜１５９、１６１〜１７４、１８７〜１８９の細菌のうち、少なくとも１種、より好ましくは１０種以上、さらに好ましくは２０種以上、さらに好ましくは全種の占有率が低いほど、皮膚の色が好ましいと判定する実施の形態とすることが好ましい。
【００８１】
より具体的には、細菌番号１２６〜１２９の細菌のうち、少なくとも１種、より好ましくは２種以上、さらに好ましくは全種の占有率が低いほど、皮膚の色を構成するパラメータのうち、皮膚が明るいと判定することができる。
より好ましくは、細菌番号１２６〜１２７、さらに好ましくは細菌番号１２６の細菌の占有率が低いほど、皮膚が明るいと判定することができる。
【００８２】
また、細菌番号１３０〜１４５の細菌のうち、少なくとも１種、より好ましくは２種以上、さらに好ましくは５種以上、さらに好ましくは１０種以上、さらに好ましくは全種の占有率が低いほど、皮膚の色を構成するパラメータのうち、皮膚の黄味が薄いと判定することができる。
より好ましくは、細菌番号１３０〜１３７、さらに好ましくは細菌番号１３０〜１３４の細菌の占有率が低いほど、皮膚の黄味が薄いと判定することができる。
【００８３】
また、細菌番号１４６〜１５１の細菌のうち、少なくとも１種、より好ましくは２種以上、さらに好ましくは５種以上、さらに好ましくは全種の占有率が低いほど、皮膚の色を構成するパラメータのうち、メラニン指数が低いと判定することができる。
より好ましくは、細菌番号１４６〜１４８の細菌の占有率が低いほど、メラニン指数が低いと判定することができる。
【００８４】
また、細菌番号１５２〜１５７の細菌のうち、少なくとも１種、より好ましくは２種以上、さらに好ましくは全種の占有率が低いほど、皮膚の色を構成するパラメータのうち、紅斑指数が低いと判定することができる。
より好ましくは、細菌番号１５２〜１５６の細菌の占有率が低いほど、紅斑指数が低いと判定することができる。
【００８５】
また、細菌番号１５８〜１６０の細菌のうち、少なくとも１種、より好ましくは２種以上、さらに好ましくは全種の占有率が低いほど、皮膚の色を構成するパラメータのうち皮膚酸素飽和指数が高いと判定することができる。
より好ましくは、細菌番号１５８〜１５９の細菌の占有率が低いほど、皮膚酸素飽和指数が高いと判定することができる。
【００８６】
また、細菌番号１６１〜１８６の細菌のうち、少なくとも１種、より好ましくは２種以上、さらに好ましくは５種以上、さらに好ましくは１０種以上、さらに好ましくは２０種以上、さらに好ましくは全種の占有率が低いほど、皮膚の色を構成するパラメータのうち、光沢度合が高いと判定することができる。
より好ましくは、細菌番号１６１〜１７４、さらに好ましくは細菌番号１６１〜１６６の細菌の占有率が低いほど、光沢度合が高いと判定することができる。
【００８７】
また、細菌番号１８７〜１９１の細菌のうち、少なくとも１種、より好ましくは２種以上、さらに好ましくは全種の占有率が低いほど、皮膚の色を構成するパラメータのうち、シミの個数が少ないと判定することができる。
より好ましくは、細菌番号１８７〜１８９の細菌の占有率が低いほど、シミの個数が少ないと判定することができる。
【００８８】
本発明の肌状態の診断方法は、表３、表４に示すＣ群及びＤ群の少なくとも１種の菌の占有率に基づき、肌状態を診断する形態とすることが好ましい。
このような形態とすることで、肌状態のうち、キメの度合、シワ本数、毛穴個数などのパラメータに基づく皮膚の形態を特に精度よく診断することができる。
【００８９】
【表３】
2018099184.tif 000016
【００９０】
【表４】
2018099184.tif 000017
【００９１】
本発明は、Ｃ群及びＤ群のうち、好ましくは１０種以上、より好ましくは２０種以上、さらに好ましくは４０種以上、さらに好ましくは８０種以上、さらに好ましくは１００種以上、さらに好ましくは全種の細菌の占有率に基づき肌状態を診断する形態とすることが好ましい。
【００９２】
本発明は、Ｃ群の菌の少なくとも１種の皮膚常在細菌叢における占有率が高いほど、皮膚の形態が好ましいと判定する実施の形態とすることが好ましい。
また、Ｃ群の菌のうち、好ましくは２種以上、より好ましくは１０種以上、さらに好ましくは４０種以上、さらに好ましくは８０種以上、さらに好ましくは全種の細菌の占有率が高いほど、皮膚の形態が好ましいと判定する実施の形態とすることが好ましい。
【００９３】
また、細菌番号１９２〜２１６、２４４〜２４９、２５５〜２７０の細菌のうち、少なくとも１種、より好ましくは５種以上、さらに好ましくは２０種以上、さらに好ましくは４０種以上、さらに好ましくは全種の占有率が高いほど、皮膚の形態が好ましいと判定する実施の形態とすることが好ましい。
【００９４】
より具体的には、細菌番号１９２〜２４３の細菌のうち、少なくとも１種、より好ましくは２種以上、さらに好ましくは５種以上、さらに好ましくは７種以上、さらに好ましくは１０種以上、さらに好ましくは２０種以上、さらに好ましくは４０種以上、さらに好ましくは全種の占有率が高いほど、皮膚の形態を構成するパラメータのうち、キメの度合が高いと判定することができる。
より好ましくは、細菌番号１９２〜２１６、さらに好ましくは細菌番号１９２〜１９８の細菌の占有率が高いほど、キメの度合が高いと判定することができる。
【００９５】
また、細菌番号２４４〜２５４の細菌のうち、少なくとも１種、より好ましくは２種以上、さらに好ましくは５種以上、さらに好ましくは全種の占有率が高いほど、皮膚の形態を構成するパラメータのうち、シワ本数が少ないと判定することができる。
より好ましくは、細菌番号２４４〜２５０の細菌の占有率が高いほど、シワ本数が少ないと判定することができる。
【００９６】
また、細菌番号２５５〜２９４の細菌のうち、少なくとも１種、より好ましくは２種以上、さらに好ましくは５種以上、さらに好ましくは７種以上、さらに好ましくは１０種以上、さらに好ましくは２０種以上、さらに好ましくは全種の占有率が高いほど、皮膚の形態を構成するパラメータのうち、毛穴個数が少ないと判定することができる。
より好ましくは、細菌番号２５５〜２６７、さらに好ましくは細菌番号２５５〜２５７の細菌の占有率が高いほど、毛穴個数が少ないと判定することができる。
【００９７】
本発明は、Ｄ群の菌の少なくとも１種の皮膚常在細菌叢における占有率が低いほど、皮膚の形態が好ましいと判定する実施の形態とすることが好ましい。
また、Ｄ群の菌のうち、好ましくは２種以上、より好ましくは１０種以上、さらに好ましくは２０種以上、さらに好ましくは全種の細菌の占有率が低いほど、皮膚の形態が好ましいと判定する実施の形態とすることが好ましい。
【００９８】
また、細菌番号２９５、２９８〜３０１、３１０の細菌のうち、少なくとも１種、より好ましくは２種以上、さらに好ましくは５種以上、さらに好ましくは全種の占有率が低いほど、皮膚の形態が好ましいと判定する実施の形態とすることが好ましい。
【００９９】
より具体的には、細菌番号２９５〜２９７の細菌のうち、少なくとも１種、より好ましくは２種以上、さらに好ましくは全種の占有率が低いほど、皮膚の形態を構成するパラメータのうちキメの度合が高いと判定することができる。
より好ましくは、細菌番号２９５の細菌の占有率が低いほど、キメの度合が高いと判定することができる。
【０１００】
また、細菌番号２９８〜３０９の細菌のうち、少なくとも１種、より好ましくは２種以上、さらに好ましくは５種以上、さらに好ましくは全種の占有率が低いほど、皮膚の形態を構成するパラメータのうちシワ本数が少ないと判定することができる。
より好ましくは、細菌番号２９８〜３０１の細菌の占有率が低いほど、シワ本数が少ないと判定することができる。
【０１０１】
また、細菌番号３１０〜３１２の細菌のうち、少なくとも１種、より好ましくは２種以上、さらに好ましくは全種の占有率が低いほど、皮膚の形態を構成するパラメータのうち毛穴個数が少ないと判定することができる。
より好ましくは、細菌番号３１０の細菌の占有率が低いほど、毛穴個数が少ないと判定することができる。
【０１０２】
本発明の肌状態の診断方法は、表５、表６に示すＥ群及びＦ群の少なくとも１種の菌の占有率に基づき、肌状態を診断する形態とすることが好ましい。
このような形態とすることで、肌状態肌状態のうち、皮膚の弾力性、皮膚水分量、皮膚のバリア機能、皮脂量などのパラメータに基づく皮膚の性質及び／又は機能を特に精度よく診断することができる。
【０１０３】
【表５】
2018099184.tif 000018
【０１０４】
【表６】
2018099184.tif 000019
【０１０５】
本発明は、Ｅ群及びＦ群のうち、好ましくは１０種以上、より好ましくは２０種以上、さらに好ましくは４０種以上、さらに好ましくは１００種以上、さらに好ましくは１５０種以上、さらに好ましくは全種の細菌の占有率に基づき肌状態を診断する形態とすることが好ましい。
【０１０６】
本発明は、Ｅ群の菌の少なくとも１種の皮膚常在細菌叢における占有率が高いほど、皮膚の性質及び／又は機能が好ましいと判定する実施の形態とすることが好ましい。
また、Ｅ群の菌のうち、好ましくは２種以上、より好ましくは１０種以上、さらに好ましくは４０種以上、さらに好ましくは８０種以上、さらに好ましくは１００種以上、さらに好ましくは全種の細菌の占有率が高いほど、皮膚の性質及び／又は機能が好ましいと判定する実施の形態とすることが好ましい。
【０１０７】
また、細菌番号３１３〜３２０、３２４〜３２６、３３３〜３４５、３５９〜３７１、３９４〜４３７の細菌のうち、少なくとも１種、より好ましくは５種以上、さらに好ましくは２０種以上、さらに好ましくは４０種以上、さらに好ましくは８０種以上、さらに好ましくは全種の占有率が高いほど、皮膚の性質及び／又は機能が好ましいと判定する実施の形態とすることが好ましい。
【０１０８】
より具体的には、細菌番号３１３〜３２３の細菌のうち、少なくとも１種、より好ましくは２種以上、さらに好ましくは５種以上、さらに好ましくは７種以上、さらに好ましくは全種の占有率が高いほど、皮膚の性質及び／又は機能を構成するパラメータのうち、皮膚の弾力性があると判定することができる。
より好ましくは、細菌番号３１３〜３２０、さらに好ましくは細菌番号３１３〜３１４の細菌の占有率が高いほど皮膚の弾力性があると判定することができる。
【０１０９】
また、細菌番号３２４〜３３２の細菌のうち、少なくとも１種、より好ましくは２種以上、さらに好ましくは５種以上、さらに好ましくは全種の占有率が高いほど、皮膚の性質及び／又は機能を構成するパラメータのうち、皮膚水分量が多いと判定することができる。
より好ましくは、細菌番号３２４〜３２６の細菌の占有率が高いほど、皮膚水分量が多いと判定することができる。
【０１１０】
また、細菌番号３３３〜３５８の細菌のうち、少なくとも１種、より好ましくは２種以上、さらに好ましくは５種以上、さらに好ましくは７種以上、さらに好ましくは１０種以上、さらに好ましくは２０種以上、さらに好ましくは全種の占有率が高いほど、皮膚の性質及び／又は機能を構成するパラメータのうち、皮膚のバリア機能が優れていると判定することができる。
より好ましくは、細菌番号３３３〜３４５、さらに好ましくは細菌番号３３３〜３３７の細菌の占有率が高いほど、皮膚のバリア機能が優れていると判定することができる。
【０１１１】
また、細菌番号３５９〜３９３の細菌のうち、少なくとも１種、より好ましくは２種以上、さらに好ましくは５種以上、さらに好ましくは１０種以上、さらに好ましくは２０種以上、さらに好ましくは全種の占有率が高いほど、皮膚の性質及び／又は機能を構成するパラメータのうち、皮脂量（頬）が少ないと判定することができる。
より好ましくは、細菌番号３５９〜３７１、さらに好ましくは細菌番号３５９〜３６３の細菌の占有率が高いほど、皮脂量（頬）が少ないと判定することができる。
【０１１２】
また、細菌番号３９４〜４３７の細菌のうち、少なくとも１種、より好ましくは２種以上、さらに好ましくは５種以上、さらに好ましくは７種以上、さらに好ましくは１０種以上、さらに好ましくは２０種以上、さらに好ましくは全種の占有率が高いほど、皮膚の性質及び／又は機能を構成するパラメータのうち、皮脂量（額）が少ないと判定することができる。
より好ましくは、細菌番号３９４〜４０５、さらに好ましくは細菌番号３９４〜３９５の細菌の占有率が高いほど、皮脂量（額）が少ないと判定することができる。
【０１１３】
本発明は、Ｆ群の菌の少なくとも１種の皮膚常在細菌叢における占有率が低いほど、皮膚の性質及び／又は機能が好ましいと判定する実施の形態とすることが好ましい。
また、Ｆ群の菌のうち、好ましくは２種以上、より好ましくは１０種以上、さらに好ましくは２０種以上、さらに好ましくは４０種以上、さらに好ましくは全種の細菌の占有率が低いほど、皮膚の性質及び／又は機能が好ましいと判定する実施の形態とすることが好ましい。
【０１１４】
また、細菌番号４３８〜４４２、４５６〜４６０、４７６〜４８０、４８３〜４８５、４９０の細菌のうち、少なくとも１種、より好ましくは２種以上、さらに好ましくは５種以上、さらに好ましくは１０種以上、さらに好ましくは全種の占有率が低いほど、皮膚の性質及び／又は機能が好ましいと判定する実施の形態とすることが好ましい。
【０１１５】
また、細菌番号４３８〜４５５の細菌のうち、少なくとも１種、より好ましくは２種以上、さらに好ましくは全種の占有率が低いほど、皮膚の性質及び／又は機能を構成するパラメータのうち皮膚の弾力性があると判定することができる。
より好ましくは、細菌番号４３８〜４４２の細菌の占有率が低いほど、皮膚の弾力性があると判定することができる。
【０１１６】
また、細菌番号４５６〜４７５の細菌のうち、少なくとも１種、より好ましくは２種以上、さらに好ましくは５種以上、さらに好ましくは全種の占有率が低いほど、皮膚の性質及び／又は機能を構成するパラメータのうち、皮膚水分量が多いと判定することができる。
より好ましくは、細菌番号４５６〜４６０の細菌の占有率が低いほど、皮膚水分量が多いと判定することができる。
【０１１７】
また、細菌番号４７６〜４８２の細菌のうち、少なくとも１種、より好ましくは２種以上、さらに好ましくは全種の占有率が低いほど、皮膚の性質及び／又は機能を構成するパラメータのうち、皮膚のバリア機能が優れていると判定することができる。
より好ましくは、細菌番号４７６〜４８０の細菌の占有率が低いほど、皮膚のバリア機能が優れていると判定することができる。
【０１１８】
また、細菌番号４８３〜４８９の細菌のうち、少なくとも１種、より好ましくは２種以上、さらに好ましくは５種以上、さらに好ましくは全種の占有率が低いほど、皮膚の性質及び／又は機能を構成するパラメータのうち、皮脂量（頬）が少ないと判定することができる。
より好ましくは、細菌番号４８３〜４８５の細菌の占有率が低いほど、皮脂量（頬）が少ないと判定することができる。
【０１１９】
また、細菌番号４９０〜４９１の細菌のうち、少なくとも１種、より好ましくは全種の占有率が低いほど、皮膚の性質及び／又は機能を構成するパラメータのうち、皮脂量（額）が少ないと判定することができる。
より好ましくは、細菌番号４９０の細菌の占有率が低いほど、皮脂量（額）が少ないと判定することができる。
【０１２０】
本発明は、皮膚常在細菌叢における菌種の多様性が高いほど、肌状態が好ましいと判定する実施の形態とすることが好ましい。
該肌状態としては、紅斑指数や、皮膚酸素飽和指数を採用することが好ましい。皮膚常在細菌叢における菌種の多様性を指標とすることによって、紅斑指数や、皮膚酸素飽和指数をより精度よく診断することができる。
【０１２１】
＜２＞肌状態改善作用を有する物質又は美容方法のスクリーニング方法
本発明は、肌状態と相関性のある、皮膚常在細菌叢における菌指標に基づく、肌状態改善作用を有する物質又は美容方法のスクリーニング方法にも関する。
【０１２２】
本発明によれば、前記菌指標に基づき、肌状態を改善する物質又は美容方法をスクリーニングすることができる。
以下、本発明のスクリーニング方法の実施形態について説明するが、本発明の技術的範囲は以下の実施形態に限定されないことは言うまでもない。
【０１２３】
本発明のスクリーニング方法におけるスクリーニング対象としては、特に限定されず、例えば、市販の化合物（ペプチドを含む）、公知化合物（ペプチドを含む）、コンビナトリアル・ケミストリー技術によって得られた化合物群、植物や海洋生物由来の天然成分、動物組織抽出物などの物質を挙げることができる。
また、顔面パックやマッサージなどの美容方法も本発明のスクリーニング方法のスクリーニング対象とすることができる。
【０１２４】
本発明は以下のような工程を有する実施の形態とすることが好ましい。すなわち、スクリーニング対象の物質又は美容方法を被験者に適用する適用工程と、適用工程前後の被験者の菌指標を得る菌指標取得工程と、適用工程前後の被験者の菌指標の変化を評価する評価工程と、を有する実施の形態とすることが好ましい。
【０１２５】
適用工程における、物質又は美容方法の適用態様、適用期間、適用頻度については特に制限はない。なお、スクリーニング対象が物質である場合には、例えば、液剤、粉末剤、顆粒剤、錠剤などの経口剤の形態として被験者に経口投与してもよいし、注射剤、外用液剤、軟膏等の皮膚外用剤等の形態として非経口的に投与してもよい。
【０１２６】
菌指標取得工程は、適用工程前後の被験者の皮膚常在細菌叢を前述の方法と同様の手段で採取、解析、算出する工程である。
【０１２７】
評価工程における評価は例えば以下のように行うことができる。
すなわち、適用工程の後に被験者の皮膚常在細菌叢におけるＡ群の菌の少なくとも１種の皮膚常在細菌叢における占有率が上昇したとき、スクリーニング対象の物質又は美容方法に皮膚の色を改善する効果があるものと評価することができる。
また、Ａ群の菌のうち、好ましくは２種以上、より好ましくは１０種以上、さらに好ましくは４０種以上、さらに好ましくは８０種以上、さらに好ましくは１００種以上、さらに好ましくは全種の細菌の占有率が上昇したとき、スクリーニング対象の物質又は美容方法に皮膚の色を改善する効果があるものと評価することができる。
【０１２８】
また、細菌番号１〜５、１４〜１６、１９〜２４、３４〜８１、９２〜１０２、１１７、１２０〜１２１の細菌のうち、少なくとも１種、より好ましくは５種以上、さらに好ましくは１０種以上、さらに好ましくは２０種以上、さらに好ましくは４０種以上、さらに好ましくは全種の占有率が上昇したとき、スクリーニング対象の物質又は美容方法に皮膚の色を改善する効果があるものと評価することができる。
【０１２９】
より具体的には、細菌番号１〜１３の細菌のうち、少なくとも１種、より好ましくは２種以上、さらに好ましくは５種以上、さらに好ましくは７種以上、さらに好ましくは全種の占有率が上昇したとき、スクリーニング対象の物質又は美容方法に、皮膚の色を構成するパラメータのうち皮膚の明るさを改善する効果があるものと評価することができる。
より好ましくは、細菌番号１〜５、さらに好ましくは細菌番号１〜２の細菌の占有率が上昇したとき、スクリーニング対象の物質又は美容方法に皮膚の明るさを改善する効果があるものと評価することができる。
【０１３０】
また、細菌番号１４〜１８の細菌のうち、少なくとも１種、より好ましくは２種以上、さらに好ましくは全種の占有率が上昇したとき、スクリーニング対象の物質又は美容方法に、皮膚の色を構成するパラメータのうち皮膚の黄味を改善する効果があるものと評価することができる。
より好ましくは、細菌番号１４〜１６の細菌の占有率が上昇したとき、スクリーニング対象の物質又は美容方法に皮膚の黄味を改善する効果があるものと評価することができる。
【０１３１】
また、細菌番号１９〜３３の細菌のうち、少なくとも１種、より好ましくは２種以上、さらに好ましくは５種以上、さらに好ましくは７種以上、さらに好ましくは１０種以上、さらに好ましくは全種の占有率が上昇したとき、スクリーニング対象の物質又は美容方法に、皮膚の色を構成するパラメータのうちメラニン指数を改善する効果があるものと評価することができる。
より好ましくは、細菌番号１９〜２４、さらに好ましくは細菌番号１９〜２０の細菌の占有率が上昇したとき、スクリーニング対象の物質又は美容方法にメラニン指数を改善する効果があるものと評価することができる。
【０１３２】
また、細菌番号３４〜９１の細菌のうち、少なくとも１種、より好ましくは２種以上、さらに好ましくは１０種以上、さらに好ましくは２０種以上、さらに好ましくは４０種以上、さらに好ましくは全種の占有率が上昇したとき、スクリーニング対象の物質又は美容方法に、皮膚の色を構成するパラメータのうち紅斑指数を改善する効果があるものと評価することができる。
より好ましくは、細菌番号３４〜８１、さらに好ましくは細菌番号３４〜５１の細菌の占有率が上昇したとき、スクリーニング対象の物質又は美容方法に紅斑指数を改善する効果があるものと評価することができる。
【０１３３】
また、細菌番号９２〜１１６の細菌のうち、少なくとも１種、より好ましくは２種以上、さらに好ましくは５種以上、さらに好ましくは１０種以上、さらに好ましくは２０種以上、さらに好ましくは全種の占有率が上昇したとき、スクリーニング対象の物質又は美容方法に、皮膚の色を構成するパラメータのうち皮膚酸素飽和指数を改善する効果があるものと評価することができる。
より好ましくは、細菌番号９２〜１０５、さらに好ましくは細菌番号９２〜９６の細菌の占有率が上昇したとき、スクリーニング対象の物質又は美容方法に皮膚酸素飽和指数を改善する効果があるものと評価することができる。
【０１３４】
また、細菌番号１１７〜１１９の細菌のうち、少なくとも１種、より好ましくは２種以上さらに好ましくは全種の占有率が上昇したとき、スクリーニング対象の物質又は美容方法に、皮膚の色を構成するパラメータのうち光沢度合を改善する効果があるものと評価することができる。
より好ましくは、細菌番号１１７の細菌の占有率が上昇したとき、スクリーニング対象の物質又は美容方法に光沢度合を改善する効果があるものと評価することができる。
【０１３５】
また、細菌番号１２０〜１２５の細菌のうち、少なくとも１種、より好ましくは２種以上さらに好ましくは全種の占有率が上昇したとき、スクリーニング対象の物質又は美容方法に、皮膚の色を構成するパラメータのうちシミの個数を改善する効果があるものと評価することができる。
より好ましくは、細菌番号１２０〜１２１の細菌の占有率が上昇したとき、スクリーニング対象の物質又は美容方法にシミの個数を改善する効果があるものと評価することができる。
【０１３６】
また、Ｂ群の菌の少なくとも１種の皮膚常在細菌叢における占有率が低下したとき、スクリーニング対象の物質又は美容方法に皮膚の色を改善する効果があるものと評価することができる。
また、Ｂ群の菌のうち、好ましくは２種以上、より好ましくは１０種以上、さらに好ましくは４０種以上、さらに好ましくは全種の細菌の占有率が低下したとき、スクリーニング対象の物質又は美容方法に皮膚の色を改善する効果があるものと評価することができる。
【０１３７】
また、細菌番号１２６〜１２７、１３０〜１３７、１４６〜１４８、１５２〜１５６、１５８〜１５９、１６１〜１７４、１８７〜１８９の細菌のうち、少なくとも１種、より好ましくは１０種以上、さらに好ましくは２０種以上、さらに好ましくは全種の占有率が低下したとき、スクリーニング対象の物質又は美容方法に皮膚の色を改善する効果があるものと評価することができる。
【０１３８】
また、細菌番号１２６〜１２９の細菌のうち、少なくとも１種、より好ましくは２種以上、さらに好ましくは全種の占有率が低下したとき、スクリーニング対象の物質又は美容方法に、皮膚の色を構成するパラメータのうち皮膚の明るさを改善する効果があるものと評価することができる。
より好ましくは、細菌番号１２６〜１２７、さらに好ましくは細菌番号１２６の細菌の占有率が低下したとき、スクリーニング対象の物質又は美容方法に皮膚の明るさを改善する効果があるものと評価することができる。
【０１３９】
また、細菌番号１３０〜１４５の細菌のうち、少なくとも１種、より好ましくは２種以上、さらに好ましくは５種以上、さらに好ましくは１０種以上、さらに好ましくは全種の占有率が低下したとき、スクリーニング対象の物質又は美容方法に、皮膚の色を構成するパラメータのうち皮膚の黄味を改善する効果があるものと評価することができる。
より好ましくは、細菌番号１３０〜１３７、さらに好ましくは細菌番号１３０〜１３４の細菌の占有率が低下したとき、スクリーニング対象の物質又は美容方法に皮膚の黄味を改善する効果があるものと評価することができる。
【０１４０】
また、細菌番号１４６〜１５１の細菌のうち、少なくとも１種、より好ましくは２種以上、さらに好ましくは全種の占有率が低下したとき、スクリーニング対象の物質又は美容方法に、皮膚の色を構成するパラメータのうちメラニン指数を改善する効果があるものと評価することができる。
より好ましくは、細菌番号１４６〜１４８の細菌の占有率が低下したとき、スクリーニング対象の物質又は美容方法にメラニン指数を改善する効果があるものと評価することができる。
【０１４１】
また、細菌番号１５２〜１５７の細菌のうち、少なくとも１種、より好ましくは２種以上、さらに好ましくは全種の占有率が低下したとき、スクリーニング対象の物質又は美容方法に、皮膚の色を構成するパラメータのうち紅斑指数を改善する効果があるものと評価することができる。
より好ましくは、細菌番号１５２〜１５６の細菌の占有率が低下したとき、スクリーニング対象の物質又は美容方法に紅斑指数を改善する効果があるものと評価することができる。
【０１４２】
また、細菌番号１５８〜１６０の細菌のうち、少なくとも１種、より好ましくは２種以上、さらに好ましくは全種の占有率が低下したとき、スクリーニング対象の物質又は美容方法に、皮膚の色を構成するパラメータのうち皮膚酸素飽和指数を改善する効果があるものと評価することができる。
より好ましくは、細菌番号１５８〜１５９の細菌の占有率が低下したとき、スクリーニング対象の物質又は美容方法に皮膚酸素飽和指数を改善する効果があるものと評価することができる。
【０１４３】
また、細菌番号１６１〜１８６の細菌のうち、少なくとも１種、より好ましくは２種以上、さらに好ましくは５種以上、さらに好ましくは１０種以上、さらに好ましくは２０種以上、さらに好ましくは全種の占有率が低下したとき、スクリーニング対象の物質又は美容方法に、皮膚の色を構成するパラメータのうち光沢度合を改善する効果があるものと評価することができる。
より好ましくは、細菌番号１６１〜１７４、さらに好ましくは細菌番号１６１〜１６６の細菌の占有率が低下したとき、スクリーニング対象の物質又は美容方法に光沢度合を改善する効果があるものと評価することができる。
【０１４４】
また、細菌番号１８７〜１９１の細菌のうち、少なくとも１種、より好ましくは２種以上、さらに好ましくは全種の占有率が低下したとき、スクリーニング対象の物質又は美容方法に、皮膚の色を構成するパラメータのうちシミの個数を改善する効果があるものと評価することができる。
より好ましくは、細菌番号１８７〜１８９の細菌の占有率が低下したとき、スクリーニング対象の物質又は美容方法にシミの個数を改善する効果があるものと評価することができる。
【０１４５】
また、Ｃ群の菌の少なくとも１種の皮膚常在細菌叢における占有率が上昇したとき、スクリーニング対象の物質又は美容方法に皮膚の形態を改善する効果があるものと評価することができる。
また、Ｃ群の菌のうち、好ましくは２種以上、より好ましくは１０種以上、さらに好ましくは４０種以上、さらに好ましくは８０種以上、さらに好ましくは全種の細菌の占有率が上昇したとき、スクリーニング対象の物質又は美容方法に皮膚の形態を改善する効果があるものと評価することができる。
【０１４６】
また、細菌番号１９２〜２１６、２４４〜２４９、２５５〜２７０の細菌のうち、少なくとも１種、より好ましくは５種以上、さらに好ましくは２０種以上、さらに好ましくは４０種以上、さらに好ましくは全種の占有率が上昇したとき、スクリーニング対象の物質又は美容方法に皮膚の形態を改善する効果があるものと評価することができる。
【０１４７】
より具体的には、細菌番号１９２〜２４３の細菌のうち、少なくとも１種、より好ましくは２種以上、さらに好ましくは５種以上、さらに好ましくは７種以上、さらに好ましくは１０種以上、さらに好ましくは２０種以上、さらに好ましくは４０種以上、さらに好ましくは全種の占有率が上昇したとき、スクリーニング対象の物質又は美容方法に、皮膚の形態を構成するパラメータのうちキメの度合を改善する効果があるものと評価することができる。
より好ましくは、細菌番号１９２〜２１６、さらに好ましくは細菌番号１９２〜１９８の細菌の占有率が上昇したとき、スクリーニング対象の物質又は美容方法にキメの度合を改善する効果があるものと評価することができる。
【０１４８】
また、細菌番号２４４〜２５４の細菌のうち、少なくとも１種、より好ましくは２種以上、さらに好ましくは５種以上、さらに好ましくは全種の占有率が上昇したとき、スクリーニング対象の物質又は美容方法に、皮膚の形態を構成するパラメータのうちシワ本数を改善する効果があるものと評価することができる。
より好ましくは、細菌番号２４４〜２５０の細菌の占有率が上昇したとき、スクリーニング対象の物質又は美容方法にシワ本数を改善する効果があるものと評価することができる。
【０１４９】
また、細菌番号２５５〜２９４の細菌のうち、少なくとも１種、より好ましくは２種以上、さらに好ましくは５種以上、さらに好ましくは７種以上、さらに好ましくは１０種以上、さらに好ましくは２０種以上、さらに好ましくは全種の占有率が上昇したとき、スクリーニング対象の物質又は美容方法に、皮膚の形態を構成するパラメータのうち毛穴個数を改善する効果があるものと評価することができる。
より好ましくは、細菌番号２５５〜２６７、さらに好ましくは細菌番号２５５〜２５７の細菌の占有率が上昇したとき、スクリーニング対象の物質又は美容方法に毛穴個数を改善する効果があるものと評価することができる。
【０１５０】
本発明は、Ｄ群の菌の少なくとも１種の皮膚常在細菌叢における占有率が低下したとき、スクリーニング対象の物質又は美容方法に皮膚の形態を改善する効果があるものと評価することができる。
また、Ｄ群の菌のうち、好ましくは２種以上、より好ましくは１０種以上、さらに好ましくは４０種以上さらに好ましくは全種の細菌の占有率が低下したとき、スクリーニング対象の物質又は美容方法に皮膚の形態を改善する効果があるものと評価することができる。
【０１５１】
また、細菌番号２９５、２９８〜３０１、３１０の細菌のうち、少なくとも１種、より好ましくは２種以上、さらに好ましくは５種以上、さらに好ましくは全種の占有率が低下したとき、スクリーニング対象の物質又は美容方法に皮膚の形態を改善する効果があるものと評価することができる。
【０１５２】
また、細菌番号２９５〜２９７の細菌のうち、少なくとも１種、より好ましくは２種以上、さらに好ましくは全種の占有率が低いほど、皮膚の形態を構成するパラメータのうちキメの度合が高いと判定することができる。
より好ましくは、細菌番号２９５の細菌の占有率が低いほど、キメの度合が高いと判定することができる。
【０１５３】
また、細菌番号２９８〜３０９の細菌のうち、少なくとも１種、より好ましくは２種以上、さらに好ましくは５種以上、さらに好ましくは全種の占有率が低下したとき、スクリーニング対象の物質又は美容方法に、皮膚の形態を構成するパラメータのうちシワ本数を改善する効果があるものと評価することができる。
より好ましくは、細菌番号２９８〜３０１の細菌の占有率が低下したとき、スクリーニング対象の物質又は美容方法にシワ本数を改善する効果があるものと評価することができる。
【０１５４】
また、細菌番号３１０〜３１２の細菌のうち、少なくとも１種、より好ましくは２種以上、さらに好ましくは全種の占有率が低下したとき、スクリーニング対象の物質又は美容方法に、皮膚の形態を構成するパラメータのうち毛穴個数を改善する効果があるものと評価することができる。
より好ましくは、細菌番号３１０の細菌の占有率が低下したとき、スクリーニング対象の物質又は美容方法に毛穴個数を改善する効果があるものと評価することができる。
【０１５５】
また、Ｅ群の菌の少なくとも１種の皮膚常在細菌叢における占有率が上昇したとき、スクリーニング対象の物質又は美容方法に皮膚の性質及び／又は機能を改善する効果があるものと評価することができる。
また、Ｅ群の菌のうち、好ましくは２種以上、より好ましくは１０種以上、さらに好ましくは４０種以上、さらに好ましくは８０種以上、さらに好ましくは１００種以上、さらに好ましくは全種の細菌の占有率が上昇したとき、スクリーニング対象の物質又は美容方法に性質及び／又は機能を改善する効果があるものと評価することができる。
【０１５６】
また、細菌番号３１３〜３２０、３２４〜３２６、３３３〜３４５、３５９〜３７１、３９４〜４３７の細菌のうち、少なくとも１種、より好ましくは５種以上、さらに好ましくは２０種以上、さらに好ましくは４０種以上、さらに好ましくは８０種以上、さらに好ましくは全種の占有率が上昇したとき、スクリーニング対象の物質又は美容方法に皮膚の性質及び／又は機能を改善する効果があるものと評価することができる。
【０１５７】
より具体的には、細菌番号３１３〜３２３の細菌のうち、少なくとも１種、より好ましくは２種以上、さらに好ましくは５種以上、さらに好ましくは７種以上、さらに好ましくは全種の占有率が上昇したとき、スクリーニング対象の物質又は美容方法に、皮膚の性質及び／又は機能を構成するパラメータのうち皮膚の弾力性を改善する効果があるものと評価することができる。
より好ましくは、細菌番号３１３〜３２０、さらに好ましくは細菌番号３１３〜３１４の細菌の占有率が上昇したとき、スクリーニング対象の物質又は美容方法に皮膚の弾力性を改善する効果があるものと評価することができる。
【０１５８】
また、細菌番号３２４〜３３２の細菌のうち、少なくとも１種、より好ましくは２種以上、さらに好ましくは５種以上、さらに好ましくは全種の占有率が上昇したとき、スクリーニング対象の物質又は美容方法に、皮膚の性質及び／又は機能を構成するパラメータのうち皮膚水分量を改善する効果があるものと評価することができる。
より好ましくは、細菌番号３２４〜３２６の細菌の占有率が上昇したとき、スクリーニング対象の物質又は美容方法に皮膚水分量を改善する効果があるものと評価することができる。
【０１５９】
また、細菌番号３３３〜３５８の細菌のうち、少なくとも１種、より好ましくは２種以上、さらに好ましくは５種以上、さらに好ましくは７種以上、さらに好ましくは１０種以上、さらに好ましくは２０種以上、さらに好ましくは全種の占有率が上昇したとき、スクリーニング対象の物質又は美容方法に、皮膚の性質及び／又は機能を構成するパラメータのうち皮膚のバリア機能を改善する効果があるものと評価することができる。
より好ましくは、細菌番号３３３〜３４５、さらに好ましくは細菌番号３３３〜３３７の細菌の占有率が上昇したとき、スクリーニング対象の物質又は美容方法に皮膚のバリア機能を改善する効果があるものと評価することができる。
【０１６０】
また、細菌番号３５９〜３９３の細菌のうち、少なくとも１種、より好ましくは２種以上、さらに好ましくは５種以上、さらに好ましくは１０種以上、さらに好ましくは２０種以上、さらに好ましくは全種の占有率が上昇したとき、スクリーニング対象の物質又は美容方法に、皮膚の性質及び／又は機能を構成するパラメータのうち皮脂量（頬）を改善する効果があるものと評価することができる。
より好ましくは、細菌番号３５９〜３７１、さらに好ましくは細菌番号３５９〜３６３の細菌の占有率が上昇したとき、スクリーニング対象の物質又は美容方法に皮脂量（頬）を改善する効果があるものと評価することができる。
【０１６１】
また、細菌番号３９４〜４３７の細菌のうち、少なくとも１種、より好ましくは２種以上、さらに好ましくは５種以上、さらに好ましくは７種以上、さらに好ましくは１０種以上、さらに好ましくは２０種以上、さらに好ましくは全種の占有率が上昇したとき、スクリーニング対象の物質又は美容方法に、皮膚の性質及び／又は機能を構成するパラメータのうち皮脂量（額）を改善する効果があるものと評価することができる。
より好ましくは、細菌番号３９４〜４０５、さらに好ましくは細菌番号３９４〜３９５の細菌の占有率が上昇したとき、スクリーニング対象の物質又は美容方法に皮脂量（額）を改善する効果があるものと評価することができる。
【０１６２】
本発明は、Ｆ群の菌の少なくとも１種の皮膚常在細菌叢における占有率が低下したとき、スクリーニング対象の物質又は美容方法に皮膚の性質及び／又は機能を改善する効果があるものと評価することができる。
また、Ｆ群の菌のうち、好ましくは２種以上、より好ましくは１０種以上、さらに好ましくは２０種以上、さらに好ましくは４０種以上、さらに好ましくは全種の細菌の占有率が低下したとき、スクリーニング対象の物質又は美容方法に皮膚の性質及び／又は機能を改善する効果があるものと評価することができる。
【０１６３】
また、細菌番号４３８〜４４２、４５６〜４６０、４７６〜４８０、４８３〜４８５、４９０の細菌のうち、少なくとも１種、より好ましくは２種以上、さらに好ましくは５種以上、さらに好ましくは１０種以上、さらに好ましくは全種の占有率が低下したとき、スクリーニング対象の物質又は美容方法に皮膚の性質及び／又は機能を改善する効果があるものと評価することができる。
【０１６４】
より具体的には、細菌番号４３８〜４５５の細菌のうち、少なくとも１種、より好ましくは２種以上、さらに好ましくは全種の占有率が低下したとき、スクリーニング対象の物質又は美容方法に、皮膚の性質及び／又は機能を構成するパラメータのうち皮膚の弾力性を改善する効果があるものと評価することができる。
より好ましくは、細菌番号４３８〜４４２の細菌の占有率が低下したとき、スクリーニング対象の物質又は美容方法に皮膚の弾力性を改善する効果があるものと評価することができる。
【０１６５】
また、細菌番号４５６〜４７５の細菌のうち、少なくとも１種、より好ましくは２種以上、さらに好ましくは５種以上、さらに好ましくは全種の占有率が低下したとき、スクリーニング対象の物質又は美容方法に、皮膚の性質及び／又は機能を構成するパラメータのうち皮膚水分量を改善する効果があるものと評価することができる。
より好ましくは、細菌番号４５６〜４６０の細菌の占有率が低下したとき、スクリーニング対象の物質又は美容方法に皮膚水分量を改善する効果があるものと評価することができる。
【０１６６】
また、細菌番号４７６〜４８２の細菌のうち、少なくとも１種、より好ましくは２種以上、さらに好ましくは全種の占有率が低下したとき、スクリーニング対象の物質又は美容方法に、皮膚の性質及び／又は機能を構成するパラメータのうち皮膚のバリア機能を改善する効果があるものと評価することができる。
より好ましくは、細菌番号４７６〜４８０の細菌の占有率が低下したとき、スクリーニング対象の物質又は美容方法に皮膚のバリア機能を改善する効果があるものと評価することができる。
【０１６７】
また、細菌番号４８３〜４８９の細菌のうち、少なくとも１種、より好ましくは２種以上、さらに好ましくは５種以上、さらに好ましくは全種の占有率が低下したとき、スクリーニング対象の物質又は美容方法に、皮膚の性質及び／又は機能を構成するパラメータのうち皮脂量（頬）を改善する効果があるものと評価することができる。
より好ましくは、細菌番号４８３〜４８５の細菌の占有率が低下したとき、スクリーニング対象の物質又は美容方法に皮脂量（頬）を改善する効果があるものと評価することができる。
【０１６８】
また、細菌番号４９０〜４９１の細菌のうち、少なくとも１種、より好ましくは全種の占有率が低下したとき、スクリーニング対象の物質又は美容方法に、皮膚の性質及び／又は機能を構成するパラメータのうち皮脂量（額）を改善する効果があるものと評価することができる。
より好ましくは、細菌番号４９０の細菌の占有率が低下したとき、スクリーニング対象の物質又は美容方法に皮脂量（額）を改善する効果があるものと評価することができる。
【０１６９】
評価工程においては、１種のスクリーニング対象について、２種以上の肌状態の改善効果を評価する形態とすることが好ましい。
【０１７０】
本発明は、皮膚常在細菌叢における菌種の多様性が上昇したとき、スクリーニング対象の物質又は美容方法に肌状態を改善する効果があるものと評価することができる。
該肌状態としては、紅斑指数や、皮膚酸素飽和指数を採用することが好ましい。皮膚常在細菌叢における菌種の多様性を指標とすることによって、スクリーニング対象の物質又は美容方法に紅斑指数や、皮膚酸素飽和指数を改善する効果があるものと評価することができる。
【実施例】
【０１７１】
以下、本発明の基礎となる知見を裏付ける各種試験結果を示す。
【０１７２】
＜試験＞各細菌種の占有率及び菌の多様性と、各肌状態との関連
以下の肌状態に関するパラメータと皮膚表面の細菌叢との関連性を調べた。なお、以下、占有率の単位は、特に断りの無い限り「％」である。
【０１７３】
（１）被験者の肌状態の測定
被験者は３０代のアトピーなどの疾患を有しない健常日本人女性２９３名である。
まず、被験者の肌状態に関するパラメータの取得を行った。取得したパラメータは、皮膚の明るさ、皮膚の黄味、メラニン指数、紅斑指数、皮膚酸素飽和指数、光沢度合、シミの個数及びシワ本数、毛穴個数、キメの度合、皮膚の弾力性、皮膚水分量、皮膚のバリア機能、皮脂量である。
【０１７４】
被験者の皮膚の明るさに関するパラメータは、分光測色計（コニカミノルタセンシング（株）製、ＣＭ２６００ｄ）を用いて、光源Ｄ−６５、視野１０度、SCE法にてＬ＊ａ＊ｂ＊表色系により、Ｌ＊値を測定し、評価することにより得た。
【０１７５】
被験者の皮膚の黄味に関するパラメータは、分光測色計（コニカミノルタセンシング（株）製、ＣＭ２６００ｄ）を用いて、光源Ｄ−６５、視野１０度、SCE法にてＬ＊ａ＊ｂ＊表色系により、ｂ＊値を測定し、評価することにより得た。
【０１７６】
被験者のメラニン指数に関するパラメータは、分光測色計（コニカミノルタセンシング（株）製、ＣＭ２６００ｄ）を用いて、吸光度（Ａｂｓｏｒｂａｎｃｅ：Ａ）を測定し、その後、メラニン指数（ＭＩ）算出式（ＭＩ＝Ａ６４０−Ａ６７０、Ｆｅａｔｈｅｒの公式）を用いてメラニン指数を算出し、評価することにより得た。
【０１７７】
被験者の紅斑指数に関するパラメータは、分光測色計（コニカミノルタセンシング（株）製、ＣＭ２６００ｄ）を用いて、吸光度（Ａｂｓｏｒｂａｎｃｅ：Ａ）を測定し、その後、紅斑指数（ＥＩ）算出式（ＥＩ＝｛［Ａ５６０＋１．５（Ａ５４３）＋Ａ５７６］−２．０（Ａ５１０＋Ａ６１０）｝、Ｆｅａｔｈｅｒの公式）を用いて紅斑指数を算出・評価することにより得た。
【０１７８】
被験者の皮膚酸素飽和指数に関するパラメータは、分光測色計（コニカミノルタセンシング（株）製、ＣＭ２６００ｄ）を用いて、吸光度（Ａｂｓｏｒｂａｎｃｅ：Ａ）を測定し、その後、皮膚酸素飽和指数（ＯＸ）算出式（ＯＸ＝［（Ａ５７３−Ａ５５８．５）−（Ａ５５８．５―Ａ５４４）］１００／１４．５  ＨＩ（Hemoglobin Index）、Ｆｅａｔｈｅｒの公式）を用いて皮膚酸素飽和指数を算出・評価することにより得た。
【０１７９】
被験者の光沢度合に関するパラメータは、光沢計（CK electronic GmbH社製、ＧｌｏｓｓｍｅｔｅｒＲＧｌ２００）を用いて、皮膚表面の拡散光（ＧｌｏｓｓＤＳＣ）を測定し、評価することにより得た。
【０１８０】
被験者のシミ、シワ本数、毛穴個数に関するパラメータは、皮膚画像解析カウンセリングシステム（Canfield社製、ＶＩＳＩＡ−ＥＶＯＬＵＴＩＯＮ）を用いて皮膚画像を採取し、画像解析することにより得た。
【０１８１】
被験者のキメの度合に関するパラメータは、シリコーンラバー等の樹脂を用いて、肌表面形状を写し取る等の手法でレプリカを作成し、予め定めたスコア（例えば１０段階）に照らし合わせることで得た。
【０１８２】
被験者の皮膚の弾力性に関するパラメータは、皮膚粘弾性測定装置（CK electronic GmbH社製Ｃｕｔｏｍｅｔｅｒ  ＭＰＡ５８０）を用いて皮膚を、吸引圧４００ｍｂ、吸引時間２秒、開放時間２秒を１サイクルとする測定を１回行い、得られた「Ｒ０」〜「Ｒ８」の結果のうちＲ７（戻り率：Ｕｒ／Ｕｆ）の結果から得た。
【０１８３】
被験者の皮膚水分量に関するパラメータは、I.B.S社製のＳｋｉｃｏｎ−２００ＥＸを用いて、頬を5回ずつ測定して、平均値を測定値として評価することにより得た。
【０１８４】
被験者の皮膚のバリア機能に関するパラメータは、ＴＥＷＬ（CK electronic GmbH社製、TEWAMETER TM300）を用いることにより得た。
【０１８５】
被験者の皮脂量に関するパラメータは、Sebumeter  ＳＭ８１５を用いて、洗顔後約４０分後の額と頬部の皮脂量を各１回ずつ測定し、「回復皮脂量」を評価することにより得た。
【０１８６】
（２）被験者群の肌状態によるグループ分け
次に前述の被験者全データを計算し、測定値が下位１０％であった被験者群をグループＡ、測定値が上位１０％であった被験者群をグループＢに分類した。
【０１８７】
（３）被験者の皮膚常在細菌叢の採取、解析
同時に、被験者の女性頬部から菌採取用のシール又は綿棒（Swab法）にて、細菌叢を採取した。次に、採取した細菌叢よりDNAの抽出を行い、細菌が保有する１６ＳｒＲＮＡ  Ｖ１−Ｖ２領域をＰＣＲにて増幅した。ｑＰＣＲにより各サンプルの濃度を計測した後ランを行う全てのサンプルを混合、ライブラリ調整を経てMiseqでのランを行った。得られたDNA配列をNCBIのデータベースと照合し、菌種を割り当て、シーケンスで解析した各々の菌種データを比率計算し、各被験者の菌種の占有率を計算した。
また、得られた細菌種の占有率などを用い、細菌の多様性を示すＳｉｍｐｓｏｎ  ｉｎｄｅｘを算出した。なお、全被験者で検出された細菌種は総合計5373種類であった。
【０１８８】
（４）肌状態によってグループ分けした被験者群と、細菌叢における菌に関するパラメータとの相関についての統計解析
前述の（２）の工程で肌状態によってグループ分けした被験者群と、前述の（３）の工程で算出した各細菌種の占有率及びＳｉｍｐｓｏｎ  ｉｎｄｅｘの相関を統計解析した。
【０１８９】
以下、前述の方法で測定した各肌状についてグループ分けをした被験者群と相関のある菌指標の探索試験について詳説する。
【０１９０】
［試験例１］
下記式１に基づき、皮膚の明るさの項目についてグループ分けをした被験者群と相関のある菌種の探索を行った。なお、皮膚の明るさの測定値が低い被験者群をグループＡに分類し、皮膚の明るさの測定値が高い被験者群をグループＢに分類した。つまり、グループＢは肌状態が良好であり、グループＡは肌状態が不良であるものとしてグループ分けを行った。
（式１）
Ｂ／Ａ比＝グループＢ細菌占有率平均／グループＡ細菌占有率平均
・グループＡ細菌占有率平均＝グループＡの被験者群における特定の菌の占有率の平均
・グループＢ細菌占有率平均＝グループＢの被験者群における特定の菌の占有率の平均
［結果］
表７は、Ｂ／Ａ比＞１であって、その値が有意であった菌種を示したものである。
表８は、Ｂ／Ａ比＜１であって、その値が有意であった菌種を示したものである。
【０１９１】
【表７】
2018099184.tif 000020
【０１９２】
【表８】
2018099184.tif 000021
【０１９３】
試験例１の結果より、表７に示す細菌の占有率は皮膚の明るさが良好であった被検者に高く、皮膚の明るさが不良であった被検者に低いということが判明した。
また、試験例１の結果より、表８に示す細菌の占有率は皮膚の明るさが良好であった被検者に低く、皮膚の明るさが不良であった被検者に高いということが判明した。
【０１９４】
［考察］
試験例１の結果より、表７に示す細菌の占有率が高い被験者ほど、皮膚の明るさが良好であると判断することができる。
さらに、表７に示す細菌の占有率を向上させる物質もしくは美容方法ほど、皮膚の明るさを改善することができる物質もしくは美容方法であるといえる。
【０１９５】
試験例１の結果より、表８に示す細菌の占有率が低い人ほど、皮膚の明るさが良好であると判断することができる。
さらに、表８に示す細菌の占有率を減少させる物質もしくは美容方法ほど、皮膚の明るさを改善することができる物質もしくは美容方法であるといえる。
【０１９６】
［試験例２］
皮膚の黄味の項目についてグループ分けをした被験者群について、Ｂ／Ａ比を計算した。
［結果］
表９は、Ｂ／Ａ比＜１であって、その値が有意であった菌種を示したものである。
表１０は、Ｂ／Ａ比＞１であって、その値が有意であった菌種を示したものである。
【０１９７】
【表９】
2018099184.tif 000022
【０１９８】
【表１０】
2018099184.tif 000023
【０１９９】
試験例２の結果より、表９に示す細菌の占有率は皮膚の黄味が良好であった被験者に高く、皮膚の黄味が不良であった被験者に低いということが判明した。
また、試験例２の結果より、表１０に示す細菌の占有率は皮膚の黄味が良好であった被験者に低く、皮膚の黄味が不良であった被験者に高いということが判明した。
【０２００】
［考察］
試験例２の結果より、表９に示す細菌の占有率が高い被験者ほど、皮膚の黄味が良好であると判断することができる。
さらに、表９に示す細菌の占有率を向上させる物質もしくは美容方法ほど、皮膚の黄味を改善することができる物質もしくは美容方法であるといえる。
【０２０１】
試験例２の結果より、表１０に示す細菌の占有率が低い人ほど、皮膚の黄味が良好であると判断することができる。
さらに、表１０に示す細菌の占有率を減少させる物質もしくは美容方法ほど、皮膚の黄味を改善することができる物質もしくは美容方法であるといえる。
【０２０２】
［試験例３］
メラニン指数の項目についてグループ分けをした被験者群について、Ｂ／Ａ比を計算した。
［結果］
表１１は、Ｂ／Ａ比＜１であって、その値が有意であった菌種を示したものである。
表１２は、Ｂ／Ａ比＞１であって、その値が有意であった菌種を示したものである。
【０２０３】
【表１１】
2018099184.tif 000024
【０２０４】
【表１２】
2018099184.tif 000025
【０２０５】
試験例３の結果より、表１１に示す細菌の占有率はメラニン指数が良好であった被験者に高く、メラニン指数が不良であった被験者に低いということが判明した。
また、試験例３の結果より、表１２に示す細菌の占有率はメラニン指数が良好であった被験者に低く、メラニン指数が不良であった被験者に高いということが判明した。
【０２０６】
［考察］
試験例３の結果より、表１１に示す細菌の占有率が高い被験者ほど、メラニン指数が良好であると判断することができる。
さらに、表１１に示す細菌の占有率を向上させる物質もしくは美容方法ほど、メラニン指数を改善することができる物質もしくは美容方法であるといえる。
【０２０７】
試験例３の結果より、表１２に示す細菌の占有率が低い人ほど、メラニン指数が良好であると判断することができる。
さらに、表１２に示す細菌の占有率を減少させる物質もしくは美容方法ほど、メラニン指数を改善することができる物質もしくは美容方法であるといえる。
【０２０８】
［試験例４］
紅斑指数の項目についてグループ分けをした被験者群について、Ｂ／Ａ比を計算した。
［結果］
表１３は、Ｂ／Ａ比＜１であって、その値が有意であった菌種を示したものである。
表１４は、Ｂ／Ａ比＞１であって、その値が有意であった菌種を示したものである。
【０２０９】
【表１３】
2018099184.tif 000026
【０２１０】
【表１４】
2018099184.tif 000027
【０２１１】
試験例４の結果より、表１３に示す細菌の占有率は紅斑指数が良好であった被験者に高く、紅斑指数が不良であった被験者に低いということが判明した。
また、試験例４の結果より、表１４に示す細菌の占有率は紅斑指数が良好であった被験者に低く、紅斑指数が不良であった被験者に高いということが判明した。
【０２１２】
［考察］
試験例４の結果より、表１３に示す細菌の占有率が高い被験者ほど、紅斑指数が良好であると判断することができる。
さらに、表１３に示す細菌の占有率を向上させる物質もしくは美容方法ほど、紅斑指数を改善することができる物質もしくは美容方法であるといえる。
【０２１３】
試験例４の結果より、表１４に示す細菌の占有率が低い人ほど、紅斑指数が良好であると判断することができる。
さらに、表１４に示す細菌の占有率を減少させる物質もしくは美容方法ほど、紅斑指数を改善することができる物質もしくは美容方法であるといえる。
【０２１４】
［試験例５］
皮膚酸素飽和指数の項目についてグループ分けをした被験者群について、Ｂ／Ａ比を計算した。
［結果］
表１５は、Ｂ／Ａ比＞１であって、その値が有意であった菌種を示したものである。
表１６は、Ｂ／Ａ比＜１であって、その値が有意であった菌種を示したものである。
【０２１５】
【表１５】
2018099184.tif 000028
【０２１６】
【表１６】
2018099184.tif 000029
【０２１７】
試験例５の結果より、表１５に示す細菌の占有率は皮膚酸素飽和指数が良好であった被験者に高く、皮膚酸素飽和指数が不良であった被験者に低いということが判明した。
また、試験例５の結果より、表１６に示す細菌の占有率は皮膚酸素飽和指数が良好であった被験者に低く、皮膚酸素飽和指数が不良であった被験者に高いということが判明した。
【０２１８】
［考察］
試験例５の結果より、表１５に示す細菌の占有率が高い被験者ほど、皮膚酸素飽和指数が良好であると判断することができる。
さらに、表１５に示す細菌の占有率を向上させる物質もしくは美容方法ほど、皮膚酸素飽和指数を改善することができる物質もしくは美容方法であるといえる。
【０２１９】
試験例５の結果より、表１６に示す細菌の占有率が低い人ほど、皮膚酸素飽和指数が良好であると判断することができる。
さらに、表１６に示す細菌の占有率を減少させる物質もしくは美容方法ほど、皮膚酸素飽和指数を改善することができる物質もしくは美容方法であるといえる。
【０２２０】
［試験例６］
光沢度合の項目についてグループ分けをした被験者群について、Ｂ／Ａ比を計算した。
［結果］
表１７は、Ｂ／Ａ比＞１であって、その値が有意であった菌種を示したものである。
表１８は、Ｂ／Ａ比＜１であって、その値が有意であった菌種を示したものである。
【０２２１】
【表１７】
2018099184.tif 000030
【０２２２】
【表１８】
2018099184.tif 000031
【０２２３】
試験例６の結果より、表１７に示す細菌の占有率は光沢度合が良好であった被験者に高く、光沢度合が不良であった被験者に低いということが判明した。
また、試験例６の結果より、表１８に示す細菌の占有率は光沢度合が良好であった被験者に低く、光沢度合が不良であった被験者に高いということが判明した。
【０２２４】
［考察］
試験例６の結果より、表１７に示す細菌の占有率が高い被験者ほど、光沢度合が良好であると判断することができる。
さらに、表１７に示す細菌の占有率を向上させる物質もしくは美容方法ほど、光沢度合を改善することができる物質もしくは美容方法であるといえる。
【０２２５】
試験例６の結果より、表１８に示す細菌の占有率が低い人ほど、光沢度合が良好であると判断することができる。
さらに、表１８に示す細菌の占有率を減少させる物質もしくは美容方法ほど、光沢度合を改善することができる物質もしくは美容方法であるといえる。
【０２２６】
［試験例７］
シミの個数の項目についてグループ分けをした被験者群について、Ｂ／Ａ比を計算した。
［結果］
表１９は、Ｂ／Ａ比＞１であって、その値が有意であった菌種を示したものである。
表２０は、Ｂ／Ａ比＜１であって、その値が有意であった菌種を示したものである。
【０２２７】
【表１９】
2018099184.tif 000032
【０２２８】
【表２０】
2018099184.tif 000033
【０２２９】
試験例７の結果より、表１９に示す細菌の占有率はシミの個数が良好であった被験者に高く、シミの個数が不良であった被験者に低いということが判明した。
また、試験例７の結果より、表２０に示す細菌の占有率はシミの個数が良好であった被験者に低く、シミの個数が不良であった被験者に高いということが判明した。
【０２３０】
［考察］
試験例７の結果より、表１９に示す細菌の占有率が高い被験者ほど、シミの個数が良好であると判断することができる。
さらに、表１９に示す細菌の占有率を向上させる物質もしくは美容方法ほど、シミの個数を改善することができる物質もしくは美容方法であるといえる。
【０２３１】
試験例７の結果より、表２０に示す細菌の占有率が低い人ほど、シミの個数が良好であると判断することができる。
さらに、表２０に示す細菌の占有率を減少させる物質もしくは美容方法ほど、シミの個数を改善することができる物質もしくは美容方法であるといえる。
【０２３２】
［試験例８］
キメの度合の項目についてグループ分けをした被験者群について、Ｂ／Ａ比を計算した。
［結果］
表２１は、Ｂ／Ａ比＜１であって、その値が有意であった菌種を示したものである。
表２２は、Ｂ／Ａ比＞１であって、その値が有意であった菌種を示したものである。
【０２３３】
【表２１】
2018099184.tif 000034
【０２３４】
【表２２】
2018099184.tif 000035
【０２３５】
試験例８の結果より、表２１に示す細菌の占有率はキメの度合が良好であった被験者に高く、キメの度合が不良であった被験者に低いということが判明した。
また、試験例８の結果より、表２２に示す細菌の占有率はキメの度合が良好であった被験者に低く、キメの度合が不良であった被験者に高いということが判明した。
【０２３６】
［考察］
試験例８の結果より、表２１に示す細菌の占有率が高い被験者ほど、キメの度合が良好であると判断することができる。
さらに、表２１に示す細菌の占有率を向上させる物質もしくは美容方法ほど、キメの度合を改善することができる物質もしくは美容方法であるといえる。
【０２３７】
試験例８の結果より、表２２に示す細菌の占有率が低い人ほど、キメの度合が良好であると判断することができる。
さらに、表２２に示す細菌の占有率を減少させる物質もしくは美容方法ほど、キメの度合を改善することができる物質もしくは美容方法であるといえる。
【０２３８】
［試験例９］
シワ本数の項目についてグループ分けをした被験者群について、Ｂ／Ａ比を計算した。
［結果］
表２３は、Ｂ／Ａ比＜１であって、その値が有意であった菌種を示したものである。
表２４は、Ｂ／Ａ比＞１であって、その値が有意であった菌種を示したものである。
【０２３９】
【表２３】
2018099184.tif 000036
【０２４０】
【表２４】
2018099184.tif 000037
【０２４１】
試験例９の結果より、表２３に示す細菌の占有率はシワ本数が良好であった被験者に高く、シワ本数が不良であった被験者に低いということが判明した。
また、試験例９の結果より、表２４に示す細菌の占有率はシワ本数が良好であった被験者に低く、シワ本数が不良であった被験者に高いということが判明した。
【０２４２】
［考察］
試験例９の結果より、表２３に示す細菌の占有率が高い被験者ほど、シワ本数が良好であると判断することができる。
さらに、表２３に示す細菌の占有率を向上させる物質もしくは美容方法ほど、シワ本数を改善することができる物質もしくは美容方法であるといえる。
【０２４３】
試験例９の結果より、表２４に示す細菌の占有率が低い人ほど、シワ本数が良好であると判断することができる。
さらに、表２４に示す細菌の占有率を減少させる物質もしくは美容方法ほど、シワ本数を改善することができる物質もしくは美容方法であるといえる。
【０２４４】
［試験例１０］
毛穴個数の項目についてグループ分けをした被験者群について、Ｂ／Ａ比を計算した。
［結果］
表２５は、Ｂ／Ａ比＜１であって、その値が有意であった菌種を示したものである。
表２６は、Ｂ／Ａ比＞１であって、その値が有意であった菌種を示したものである。
【０２４５】
【表２５】
2018099184.tif 000038
【０２４６】
【表２６】
2018099184.tif 000039
【０２４７】
試験例１０の結果より、表２５に示す細菌の占有率は毛穴個数が良好であった被験者に高く、毛穴個数が不良であった被験者に低いということが判明した。
また、試験例１０の結果より、表２６に示す細菌の占有率は毛穴個数が良好であった被験者に低く、毛穴個数が不良であった被験者に高いということが判明した。
【０２４８】
［考察］
試験例１０の結果より、表２５に示す細菌の占有率が高い被験者ほど、毛穴個数が良好であると判断することができる。
さらに、表２５に示す細菌の占有率を向上させる物質もしくは美容方法ほど、毛穴個数を改善することができる物質もしくは美容方法であるといえる。
【０２４９】
試験例１０の結果より、表２６に示す細菌の占有率が低い人ほど、毛穴個数が良好であると判断することができる。
さらに、表２６に示す細菌の占有率を減少させる物質もしくは美容方法ほど、毛穴個数を改善することができる物質もしくは美容方法であるといえる。
【０２５０】
［試験例１１］
皮膚の弾力性の項目についてグループ分けをした被験者群について、Ｂ／Ａ比を計算した。
［結果］
表２７は、Ｂ／Ａ比＞１であって、その値が有意であった菌種を示したものである。
表２８は、Ｂ／Ａ比＜１であって、その値が有意であった菌種を示したものである。
【０２５１】
【表２７】
2018099184.tif 000040
【０２５２】
【表２８】
2018099184.tif 000041
【０２５３】
試験例１１の結果より、表２７に示す細菌の占有率は皮膚の弾力性が良好であった被験者に高く、皮膚の弾力性が不良であった被験者に低いということが判明した。
また、試験例１１の結果より、表２８に示す細菌の占有率は皮膚の弾力性が良好であった被験者に低く、皮膚の弾力性が不良であった被験者に高いということが判明した。
【０２５４】
［考察］
試験例１１の結果より、表２７に示す細菌の占有率が高い被験者ほど、皮膚の弾力性が良好であると判断することができる。
さらに、表２７に示す細菌の占有率を向上させる物質もしくは美容方法ほど、皮膚の弾力性を改善することができる物質もしくは美容方法であるといえる。
【０２５５】
試験例１１の結果より、表２８に示す細菌の占有率が低い人ほど、皮膚の弾力性が良好であると判断することができる。
さらに、表２８に示す細菌の占有率を減少させる物質もしくは美容方法ほど、皮膚の弾力性を改善することができる物質もしくは美容方法であるといえる。
【０２５６】
［試験例１２］
皮膚水分量の項目についてグループ分けをした被験者群について、Ｂ／Ａ比を計算した。
［結果］
表２９は、Ｂ／Ａ比＞１であって、その値が有意であった菌種を示したものである。
表３０は、Ｂ／Ａ比＜１であって、その値が有意であった菌種を示したものである。
【０２５７】
【表２９】
2018099184.tif 000042
【０２５８】
【表３０】
2018099184.tif 000043
【０２５９】
試験例１２の結果より、表２９に示す細菌の占有率は皮膚水分量が良好であった被験者に高く、皮膚水分量が不良であった被験者に低いということが判明した。
また、試験例１２の結果より、表３２に示す細菌の占有率は皮膚水分量が良好であった被験者に低く、皮膚水分量が不良であった被験者に高いということが判明した。
【０２６０】
［考察］
試験例１２の結果より、表２９に示す細菌の占有率が高い被験者ほど、皮膚水分量が良好であると判断することができる。
さらに、表２９に示す細菌の占有率を向上させる物質もしくは美容方法ほど、皮膚水分量を改善することができる物質もしくは美容方法であるといえる。
【０２６１】
試験例１２の結果より、表３０に示す細菌の占有率が低い人ほど、皮膚水分量が良好であると判断することができる。
さらに、表３０に示す細菌の占有率を減少させる物質もしくは美容方法ほど、皮膚水分量を改善することができる物質もしくは美容方法であるといえる。
【０２６２】
［試験例１３］
皮膚のバリア機能の項目についてグループ分けをした被験者群について、Ｂ／Ａ比を計算した。
［結果］
表３１は、Ｂ／Ａ比＜１であって、その値が有意であった菌種を示したものである。
表３２は、Ｂ／Ａ比＞１であって、その値が有意であった菌種を示したものである。
【０２６３】
【表３１】
2018099184.tif 000044
【０２６４】
【表３２】
2018099184.tif 000045
【０２６５】
試験例１３の結果より、表３１に示す細菌の占有率は皮膚のバリア機能が良好であった被験者に高く、皮膚のバリア機能が不良であった被験者に低いということが判明した。
また、試験例１３の結果より、表３２に示す細菌の占有率は皮膚のバリア機能が良好であった被験者に低く、皮膚のバリア機能が不良であった被験者に高いということが判明した。
【０２６６】
［考察］
試験例１３の結果より、表３１に示す細菌の占有率が高い被験者ほど、皮膚のバリア機能が良好であると判断することができる。
さらに、表３１に示す細菌の占有率を向上させる物質もしくは美容方法ほど、皮膚のバリア機能を改善することができる物質もしくは美容方法であるといえる。
【０２６７】
試験例１３の結果より、表３２に示す細菌の占有率が低い人ほど、皮膚のバリア機能が良好であると判断することができる。
さらに、表３２に示す細菌の占有率を減少させる物質もしくは美容方法ほど、皮膚のバリア機能を改善することができる物質もしくは美容方法であるといえる。
【０２６８】
［試験例１４］
皮脂量（頬）の項目についてグループ分けをした被験者群について、Ｂ／Ａ比を計算した。
［結果］
表３３は、Ｂ／Ａ比＜１であって、その値が有意であった菌種を示したものである。
表３６は、Ｂ／Ａ比＞１であって、その値が有意であった菌種を示したものである。
【０２６９】
【表３３】
2018099184.tif 000046
【０２７０】
【表３４】
2018099184.tif 000047
【０２７１】
試験例１４の結果より、表３３に示す細菌の占有率は皮脂量（頬）が良好であった被験者に高く、皮脂量（頬）が不良であった被験者に低いということが判明した。
また、試験例１４の結果より、表３４に示す細菌の占有率は皮脂量（頬）が良好であった被験者に低く、皮脂量（頬）が不良であった被験者に高いということが判明した。
【０２７２】
［考察］
試験例１４の結果より、表３３に示す細菌の占有率が高い被験者ほど、皮脂量（頬）が良好であると判断することができる。
さらに、表３３に示す細菌の占有率を向上させる物質もしくは美容方法ほど、皮脂量（頬）を改善することができる物質もしくは美容方法であるといえる。
【０２７３】
試験例１４の結果より、表３４に示す細菌の占有率が低い人ほど、皮脂量（頬）が良好であると判断することができる。
さらに、表３４に示す細菌の占有率を減少させる物質もしくは美容方法ほど、皮脂量（頬）を改善することができる物質もしくは美容方法であるといえる。
【０２７４】
［試験例１５］
皮脂量（額）の項目についてグループ分けをした被験者群について、Ｂ／Ａ比を計算した。
［結果］
表３５は、Ｂ／Ａ比＜１であって、その値が有意であった菌種を示したものである。
表３６は、Ｂ／Ａ比＜１であって、その値が１に近い菌種を示したものである。
【０２７５】
【表３５】
2018099184.tif 000048
【０２７６】
【表３６】
2018099184.tif 000049
【０２７７】
試験例１５の結果より、表３５に示す細菌の占有率は皮脂量（額）が良好であった被験者に高く、皮脂量（額）が不良であった被験者に低いということが判明した。
また、試験例１５の結果より、表３６に示す細菌の占有率は皮脂量（額）が良好であった被験者に低く、皮脂量（額）が不良であった被験者に高いということが判明した。
【０２７８】
［考察］
試験例１５の結果より、表３５に示す細菌の占有率が高い被験者ほど、皮脂量（額）が良好であると判断することができる。
さらに、表３５に示す細菌の占有率を向上させる物質もしくは美容方法ほど、皮脂量（額）を改善することができる物質もしくは美容方法であるといえる。
【０２７９】
試験例１５の結果より、表３６に示す細菌の占有率が低い人ほど、皮脂量（額）が良好であると判断することができる。
さらに、表３６に示す細菌の占有率を減少させる物質もしくは美容方法ほど、皮脂量（額）を改善することができる物質もしくは美容方法であるといえる。
【０２８０】
［試験例１６］
下記式１に基づき、各機器測定項目についてグループ分けをした被験者群と皮膚常在細菌叢における菌種の多様性（Ｓｉｍｐｓｏｎ  ｉｎｄｅｘ）の相関について探索を行った。
なお、紅斑指数の測定値が低い被験者群をグループＡに分類し、紅斑指数の測定値が高い被験者群をグループＢに分類した。つまり、グループＡは肌状態が良好であり、グループＢは肌状態が不良であるものとしてグループ分けを行った。
また、皮膚酸素飽和指数の測定値が低い被験者群をグループＡに分類し、皮膚酸素飽和指数の測定値が高い被験者群をグループＢに分類した。つまり、グループＡは肌状態が不良であり、グループＢは肌状態が良好であるものとしてグループ分けを行った。
（式１）
Ｂ／Ａ比＝グループＢ細菌占有率平均／グループＡ細菌占有率平均
・グループＡ細菌占有率平均＝グループＡの被験者群におけるＳｉｍｐｓｏｎ  ｉｎｄｅｘの平均
・グループＢ細菌占有率平均＝グループＢの被験者群におけるＳｉｍｐｓｏｎ  ｉｎｄｅｘの平均
［結果］
【０２８１】
【表３７】
2018099184.tif 000050
【０２８２】
試験例１６の結果より、紅斑指数が良好であった被験者はＳｉｍｐｓｏｎ  ｉｎｄｅｘが高いということが判明した。
試験例１６の結果より、皮膚酸素飽和指数が良好であった被験者はＳｉｍｐｓｏｎ  ｉｎｄｅｘが高いということが判明した。
【０２８３】
［考察］
試験例１６の結果より、Ｓｉｍｐｓｏｎ  ｉｎｄｅｘが高い被験者ほど、紅斑指数と皮膚酸素飽和指数が良好であると判断することができる。
さらに、菌種の多様性を向上させる物質もしくは美容方法ほど、紅斑指数と皮膚酸素飽和指数を改善することができる物質もしくは美容方法であるといえる。
【産業上の利用可能性】
【０２８４】
本発明は、皮膚常在細菌叢における菌指標に基づく肌状態の診断方法として利用することができる。
また本発明は、皮膚常在細菌叢における菌指標に基づく、肌状態改善作用を有する物質又は美容方法のスクリーニング方法として利用することができる。